(57)【要約】【課題】レーダ周波数信号の再構成可能な送信を容易にする技術を提供する。【解決手段】１例では、システムは、信号発生器と、パワー・モジュレータとを含む。信号発生器は、レーダ波形信号のセットからレーダ波形信号を提供する。パワー・モジュレータは、第１の周波数および第１の振幅に関連する局部発振器信号を、第１の局部発振器信号および第２の局部発振器信号に分割する。パワー・モジュレータは、また、レーダ波形信号、第１の局部発振器信号、および第２の局部発振器信号に基づいて、第２の周波数および第２の振幅に関連する無線周波数信号を生成する。【選択図】図３
2020529594.tif 000002
【特許請求の範囲】
【請求項１】
レーダ波形信号のセットからレーダ波形信号を提供する信号発生器と、
第１の周波数および第１の振幅に関連する局部発振器信号を、第１の局部発振器信号および第２の局部発振器信号に分割し、前記レーダ波形信号、前記第１の局部発振器信号、および前記第２の局部発振器信号に基づいて、第２の周波数および第２の振幅に関連する無線周波数（ＲＦ）信号を生成するパワー・モジュレータと、
を備える、システム。
【請求項２】
前記パワー・モジュレータが、前記第１の局部発振器信号を、前記信号発生器によって提供される第１のレーダ波形信号と混合して第１の混合信号を生成し、前記パワー・モジュレータが、前記第２の局部発振器信号を、前記信号発生器によって提供される第２のレーダ波形信号と混合して第２の混合信号を生成する、請求項１に記載のシステム。
【請求項３】
前記パワー・モジュレータが、前記第１の混合信号と前記第２の混合信号を結合して、前記ＲＦ信号を生成する、請求項２に記載のシステム。
【請求項４】
前記第１の局部発振器信号の第１の位相が、前記第２の局部発振器信号の第２の位相と異なる、請求項１に記載のシステム。
【請求項５】
前記信号発生器によって提供される前記レーダ波形信号のセットが、周波数変調連続波レーダ信号、およびパルス信号を含む、請求項１に記載のシステム。
【請求項６】
前記信号発生器によって提供される前記レーダ波形信号のセットが、疑似ランダム・バイナリ・シーケンス信号、およびパルス信号を含む、請求項１に記載のシステム。
【請求項７】
前記信号発生器によって提供される前記レーダ波形信号のセットが、周波数変調連続波レーダ信号、および疑似ランダム・バイナリ・シーケンス信号を含む、請求項１に記載のシステム。
【請求項８】
前記パワー・モジュレータによって生成されるＲＦ信号が、第１のレーダ波形と、前記第１のレーダ波形と異なる第２のレーダ波形とを含む連続レーダ波形である、請求項１に記載のシステム。
【請求項９】
前記パワー・モジュレータが、前記局部発振器信号を前記第１の局部発振器信号および前記第２の局部発振器信号に分割するパワー・スプリッタ回路を備える、請求項１に記載のシステム。
【請求項１０】
前記パワー・モジュレータが、前記第１の局部発振器信号を受信する第１のＲＦミキサ回路を備え、前記パワー・モジュレータが、前記第２の局部発振器信号を受信する第２のＲＦミキサ回路を備える、請求項９に記載のシステム。
【請求項１１】
前記第１のＲＦミキサ回路が、前記第１の局部発振器信号および前記レーダ波形信号に基づいて第１のＲＦ信号を生成し、前記第２のＲＦミキサ回路が、前記第２の局部発振器信号および前記レーダ波形信号に基づいて第２のＲＦ信号を生成し、前記パワー・モジュレータが、前記第１のＲＦ信号および前記第２のＲＦ信号に基づいて前記ＲＦ信号を生成するパワー・コンバイナ回路を備える、請求項１０に記載のシステム。
【請求項１２】
前記パワー・コンバイナ回路が、電力増幅器、受動パワー・コンバイナ、またはアンテナ、あるいはそれらの組合せを備える、請求項１１に記載のシステム。
【請求項１３】
第１のパルス制御波形が、前記第１のＲＦミキサ回路に提供され、第２のパルス制御波形が、前記第２のＲＦミキサ回路に提供され、前記第１の局部発振器信号が、前記第２の局部発振器信号とは逆の極性を有し、前記第１のパルス制御波形と前記第２のパルス制御波形とが整列され、異なる幅を有し、前記ＲＦ信号の時間幅が、前記第１のパルス制御波形の第１のパルス制御幅と前記第２のパルス制御波形の第２のパルス制御幅の間の差にほぼ等しい、請求項１０に記載のシステム。
【請求項１４】
前記システムが、レーダ送信機であり、前記パワー・モジュレータが、前記レーダ送信機の帯域幅の改善を容易にするために前記ＲＦ信号を生成する、請求項１に記載のシステム。
【請求項１５】
プロセッサに動作可能に結合されたレーダ送信機が、レーダ波形信号のセットからの第１のレーダ波形信号を、信号源に関連する第１の局部発振器信号と混合することによって、第１の混合信号を生成することと、
前記レーダ送信機が、前記第１のレーダ波形信号の逆位相信号として構成された第２のレーダ波形信号を、前記信号源に関連する第２の局部発振器信号と混合することによって、第２の混合信号を生成することと、
前記レーダ送信機が、前記第１の混合信号と前記第２の混合信号を結合することによって無線周波数（ＲＦ）信号を生成することと、
を含む、方法。
【請求項１６】
前記第１のレーダ波形信号を受信することが、周波数変調連続波レーダ信号、疑似ランダム・バイナリ・シーケンス信号、またはパルス信号を受信することを含む、請求項１５に記載の方法。
【請求項１７】
前記ＲＦ信号を生成することが、前記レーダ送信機によって生成される前記ＲＦ信号の波形を改善することを含む、請求項１５に記載の方法。
【請求項１８】
前記レーダ送信機が、前記信号源を、前記第１の局部発振器信号および前記第２の局部発振器信号に分割することをさらに含む、請求項１５に記載の方法。
【請求項１９】
信号源に関連する第１の局部発振器信号と混合される第１のベースバンド信号として第１のレーダ波形信号を受信する第１のパワー・ミキサ回路であり、前記第１のレーダ波形信号が、第１の極性を有する、前記第１のパワー・ミキサ回路と、
前記信号源に関連する第２の局部発振器信号と混合される第２のベースバンド信号として第２のレーダ波形信号を受信する第２のパワー・ミキサ回路であり、前記第２のレーダ波形信号が、前記第１の極性とは異なる第２の極性を有する、前記第２のパワー・ミキサ回路と、
を備え、前記第１のベースバンド信号および前記第２のベースバンド信号に基づいて無線周波数信号が生成される、システム。
【請求項２０】
前記第１のパワー・ミキサ回路が、前記第１のレーダ波形信号および前記第１の局部発振器信号を受信する第１のトランジスタ構造を備え、前記第２のパワー・ミキサ回路が、前記第２のレーダ波形信号および前記第２の局部発振器信号を受信する第２のトランジスタ構造を備える、請求項１９に記載のシステム。
【発明の詳細な説明】
【技術分野】
【０００１】
本開示は、レーダ送信機（radar transmitter）に関し、さらに詳細には、再構成可能なレーダ送信機に関する。
【発明の概要】
【発明が解決しようとする課題】
【０００２】
レーダ周波数信号の再構成可能な送信を容易にする技術を提供する。
【課題を解決するための手段】
【０００３】
以下は、本発明の１つまたは複数の実施形態の基本的な理解が得られるようにするための概要である。本概要は、重要または不可欠な要素を特定するためのものではなく、特定の実施形態のいかなる範囲または特許請求の範囲のいかなる範囲を規定するものでもない。本概要の唯一の目的は、後述するより詳細な説明の前置きとして、概念を簡略な形態で提示することである。本明細書に記載する１つまたは複数の実施形態では、レーダ周波数信号の再構成可能な送信を容易にするデバイス、システム、方法、装置、またはコンピュータ・プログラム製品、あるいはそれらの組合せについて説明する。
【０００４】
１実施形態によれば、システムは、信号発生器（signal generator）およびパワー・モジュレータ（power modulator）を備える可能性がある。信号発生器は、レーダ波形信号のセットからレーダ波形信号を提供することができる。パワー・モジュレータは、第１の周波数および第１の振幅に関連する局部発振器信号を、第１の局部発振器信号および第２の局部発振器信号に分割することができる。パワー・モジュレータは、また、レーダ波形信号、第１の局部発振器信号、および第２の局部発振器信号に基づいて、第２の周波数および第２の振幅に関連する無線周波数（ＲＦ）信号を生成することもできる。
【０００５】
別の実施形態によれば、方法が提供される。この方法は、プロセッサに動作可能に結合されたレーダ送信機が、レーダ波形信号のセットからの第１のレーダ波形信号を、信号源に関連する第１の局部発振器信号と混合することによって、第１の混合信号を生成することを含むことがある。この方法は、また、レーダ送信機が、第１のレーダ波形信号の逆位相信号として構成された第２のレーダ波形信号を、信号源に関連する第２の局部発振器信号と混合することによって、第２の混合信号を生成することを含むこともある。さらに、この方法は、レーダ送信機が、第１の混合信号と第２の混合信号を結合することによって無線周波数信号を生成することを含むこともある。
【０００６】
さらに別の実施形態によれば、システムは、第１のパワー・ミキサ（power mixer）回路および第２のパワー・ミキサ回路を備えることがある。第１のパワー・ミキサ回路は、信号源に関連する第１の局部発振器信号と混合される第１のベースバンド信号として第１のレーダ波形信号を受信することがある。第１のレーダ波形信号は、第１の極性を有することがある。第２のパワー・ミキサ回路は、信号源に関連する第２の局部発振器信号と混合される第２のベースバンド信号として第２のレーダ波形信号を受信することがある。第２のレーダ波形信号は、第１の極性とは異なる第２の極性を有することがある。１実施形態では、第２のレーダ波形信号の波形形状は、第１のレーダ波形信号と異なることがある。第１のベースバンド信号および第２のベースバンド信号に基づいて、無線周波数信号を生成することができる。
【図面の簡単な説明】
【０００７】
【図１】本明細書に記載する１つまたは複数の実施形態による再構成可能なレーダ送信機に関連する例示的な非限定的なシステムを示すブロック図である。
【図２】本明細書に記載する１つまたは複数の実施形態による再構成可能なレーダ送信機に関連する別の例示的な非限定的なシステムを示すブロック図である。
【図３】本明細書に記載する１つまたは複数の実施形態による再構成可能なレーダ送信機に関連するさらに別の例示的な非限定的なシステムを示すブロック図である。
【図４】本明細書に記載する１つまたは複数の実施形態による信号発生器に関連する例示的な非限定的なシステムを示すブロック図である。
【図５】本明細書に記載する１つまたは複数の実施形態による第１のパワー・ミキサおよび第２のパワー・ミキサに関連する例示的な非限定的なシステムを示すブロック図である。
【図６】本明細書に記載する１つまたは複数の実施形態による周波数変調連続波モードに関連する例示的な非限定的なシステムを示すブロック図である。
【図７】本明細書に記載する１つまたは複数の実施形態による疑似ランダム・バイナリ・シーケンス・モードに関連する例示的な非限定的なシステムを示すブロック図である。
【図８】本明細書に記載する１つまたは複数の実施形態によるパルス・バイナリ・シーケンス・モードに関連する例示的な非限定的なシステムを示すブロック図である。
【図９】本明細書に記載する１つまたは複数の実施形態による例示的な非限定的な無線周波数信号を示す図である。
【図１０】本明細書に記載する１つまたは複数の実施形態によるレーダ周波数信号の再構成可能な送信を容易にする例示的な非限定的なコンピュータ実施方法を示す流れ図である。
【図１１】本明細書に記載する１つまたは複数の実施形態を容易にすることができる例示的な非限定的な動作環境を示すブロック図である。
【発明を実施するための形態】
【０００８】
以下の詳細な説明は、単なる例示に過ぎず、実施形態、または実施形態の適用分野もしくは用途、あるいはその両方を制限することを意図したものではない。さらに、上記の発明の背景または発明の概要の項、あるいは発明を実施するための形態の項に提示されるいかなる明示的または暗示的情報にも束縛されないものとする。
【０００９】
以下、図面を参照して、１つまたは複数の実施形態について説明する。図面を通じて、同じ要素は、同じ参照番号を使用して示してある。以下の記述では、説明を目的として、１つまたは複数の実施形態がより完全に理解されるようにするために、多数の具体的な詳細を記載する。しかし、様々なケースにおいて、これらの１つまたは複数の実施形態は、これらの具体的な詳細がなくても実施することができることは明らかである。
【００１０】
レーダ送信機は、レーダ適用分野用の無線周波数信号を生成および放射する電子デバイスである。レーダ送信機は、医療用撮像の適用分野、車両レーダの適用分野、遠隔感知の適用分野など、様々な技術的適用分野で利用することができる。
【００１１】
本明細書に記載する実施形態は、レーダ周波数信号の再構成可能な送信を容易にするシステム、方法、およびコンピュータ・プログラム製品を含む。例えば、例えば再構成可能な広帯域レーダ送信機などの再構成可能なレーダ送信機を提供することができる。再構成可能なレーダ送信機は、様々な技術的適用分野に関連する様々な設計基準に基づく様々なレーダ波形を有する無線周波数信号を提供することができる。設計基準は、例えば、特定の距離要件、特定の解像度要件、特定のタイミング要件、または技術的適用分野に関連する別の要件、あるいはそれらの組合せを含む可能性がある。１実施形態では、様々なレーダ波形を、連続波形（例えば連続レーダ波形）として生成することができる。様々なレーダ波形は、例えば、周波数変調連続波レーダ波形、連続波レーダ波形、疑似ランダム・バイナリ・シーケンス・レーダ波形、またはパルス・レーダ波形、あるいはそれらの組合せを含む可能性がある。別の実施形態では、再構成可能なレーダ送信機は、局部発振器信号を第１の局部発振器信号および第２の局部発振器信号に分割することができるパワー・スプリッタを含む可能性がある。第１の局部発振器信号の波形と、第２の局部発振器信号の波形とは、逆位相であることもある。
【００１２】
１態様では、第１の局部発振器信号は、第１のパワー・ミキサを含む第１の送信経路（例えば再構成可能なレーダ送信機内の第１の送信経路）に沿って送信することができる。第２の局部発振器信号は、第２のパワー・ミキサを含む第２の送信経路（例えば再構成可能なレーダ送信機内の第２の送信経路）に沿って送信することができる。第１のパワー・ミキサは、第１の局部発振器信号を、再構成可能なレーダ送信機の信号発生器によって選択されるレーダ波形に関連する第１のベースバンド信号と混合することができる。さらに、第２のパワー・ミキサは、第２の局部発振器信号を、再構成可能なレーダ送信機の信号発生器によって選択されるレーダ波形に関連する第２のベースバンド信号と混合することができる。本明細書で使用する「混合する」という用語は、互いに異なるタイプの信号である第１の信号と第２の信号の組合せを提供して、第３の信号を生成することを意味することができる。例えば、第１の信号を、第２の信号に基づいて変調することができる。
【００１３】
再構成可能なレーダ送信機は、第１のパワー・ミキサおよび第２のパワー・ミキサから受信した信号を結合するパワー・コンバイナを含むこともある。例えば、第１のパワー・ミキサおよび第２のパワー・ミキサから受信した信号の周波数および振幅を結合することができる。パワー・コンバイナによって生成された結合信号は、再構成可能なレーダ波形を含む無線周波数信号であることもある。本明細書で使用する「結合する」という用語は、互いに対応するタイプの信号である第１の信号と第２の信号の組合せを作成して第３の信号を生成することを意味することができる。１実施形態では、短パルスを有する無線周波数信号を生成するためには、第１のパルス制御波形を第１のパワー・ミキサに与え、第２のパルス制御波形を第２のパワー・ミキサに与えればよい。さらに、第１のパワー・ミキサに適用される第１の局部発振器信号は、第２のパワー・ミキサに供給される第２の局部発振器信号と逆の極性を有することができる。第１のパルス制御波形と第２のパルス制御波形とは、整列させることができ、異なる幅を有することができる。さらに、無線周波数信号は、第１のパルス制御波形のパルス制御幅と第２のパルス制御波形のパルス制御幅の間の差にほぼ等しい、より短い時間幅を有することができる。したがって、様々な技術的適用分野のレーダ送信機の自由度を向上させることができ、レーダ送信機によって提供される無線周波数信号の波形生成を改善することができ、レーダ送信機のアジリティ（例えばレーダ送信機の異なるレーダ波形モード間を移行する能力）を向上させることができ、レーダ送信機の帯域幅を改善することができ、レーダ送信機によって提供される無線周波数信号の帯域幅を改善することができ、またはレーダ送信機の較正を改善することができ、あるいはそれらを組み合わせて実現することができる。さらに、単一の再構成可能なレーダ送信機を提供することにより、レーダ送信機の物理的領域を減少させる、またはレーダ送信機の設計の複雑さを軽減する、あるいはその両方を実現することができる。
【００１４】
図１は、本明細書に記載する１つまたは複数の実施形態による再構成可能なレーダ送信機を提供する例示的な非限定的なシステム１００を示すブロック図である。１実施形態では、システム１００は、再構成可能な広帯域レーダ送信機に関連することがある。様々な実施形態では、システム１００は、限定されるわけではないが、送信機技術、通信技術、ハードウェア技術、パルス発生器技術、レーダ技術、撮像技術、検出技術、センサ技術、医療用撮像技術、デバイス制御技術、デバイス移動技術、車両レーダ技術、自動車レーダ技術、速度推定技術、短距離レーダ技術、短中距離レーダ技術、データ抽出技術、またはその他の技術、あるいはそれらの組合せなどの技術に関連するレーダ送信機システムである可能性がある。システム１００は、ハードウェア、またはソフトウェア、あるいはその両方を利用して、本質的に高度に技術的な問題、抽象的でない問題、および人間の一連の精神活動として実行することができない問題を解決することができる。さらに、実行されるプロセスのうちの一部は、レーダ送信機に関係する既定のプロセスまたはタスクあるいはその両方を実行するための１つまたは複数の専用コンピュータ（例えば１つまたは複数の専用回路、１つまたは複数の専用処理ユニット、１つまたは複数の専用制御装置など）によって実行されることもある。システム１００、またはシステム１００の構成要素、あるいはその両方は、例えばレーダ送信機技術および特定の技術的適用分野などの上述の技術の進歩によって生じる新たな問題を解決するために利用することもできる。システム１００の１つまたは複数の実施形態は、送信機システム、通信システム、ハードウェア・システム、パルス発生器システム、レーダ・システム、撮像システム、検出システム、センサ・システム、医療用撮像システム、デバイス制御システム、デバイス移動システム、レーダ・システム、自動車レーダ・システム、車両レーダ・システム、速度推定システム、短距離レーダ・システム、短中距離レーダ・システム、データ抽出システム、またはその他の技術システム、あるいはそれらの組合せに対する技術的改良を提供することができる。システム１００の１つまたは複数の実施形態は、また、再構成可能なレーダ送信機を提供し、様々な技術的適用分野のレーダ送信機の自由度を向上させ、レーダ送信機によって提供される無線周波数信号の波形生成を改善し、レーダ送信機のアジリティを向上させ、レーダ送信機の帯域幅を改善し、レーダ送信機の較正を改善し、レーダ送信機の物理的領域を減少させ、またはレーダ送信機の設計の複雑さを軽減する、あるいはそれらを組み合わせて実現することによって、レーダ送信機に対する技術的改良を提供することもできる。
【００１５】
図１に示す実施形態では、システム１００は、パワー・モジュレータ１０２、および信号発生器１０４を含むことがある。パワー・モジュレータ１０２および信号発生器１０４は、再構成可能なレーダ送信機として実施することができる。例えば、再構成可能なレーダ送信機が、パワー・モジュレータ１０２および信号発生器１０４を含むこともある。１実施形態では、パワー・モジュレータ１０２、または信号発生器１０４、あるいはその両方が、シリコン・オン・インシュレータ（ＳＯＩ）相補形金属酸化膜半導体（ＣＭＯＳ）デバイス、モノリシック・マイクロ波集積回路（ＭＭＩＣ）、バイポーラ接合トランジスタ（ＢＪＴ）デバイス、金属酸化膜半導体（ＭＯＳ）デバイス、または別のタイプの電子デバイス、あるいはそれらの組合せ上に実施されることもある。さらに、パワー・モジュレータ１０２は、同時にミキサおよび電力増幅器として機能して、多段カスケード・アーキテクチャのパワー・モジュレータと比較してパワー・モジュレータ１０２の帯域幅を改善する、単段パワー・モジュレータであることもある。
【００１６】
パワー・モジュレータ１０２は、信号源（例えば図１に示す「信号源」）を受信することができる。特定の実施形態では、信号源は、参照クロックを信号源に変換する位相同期ループ回路（図示せず）によって生成することができる。１実施形態では、信号発生器１０４は、ベースバンド信号発生器であることもある。別の実施形態では、信号発生器１０４は、制御信号発生器であることもある。信号発生器１０４は、レーダ波形信号（例えば図１に示す「レーダ波形信号」）を生成することができる。レーダ波形信号は、ベースバンド信号、または選択した波形に関連する制御信号とすることができる。パワー・モジュレータ１０２は、信号発生器１０４によって生成されたレーダ波形信号も受信することができる。信号源およびレーダ波形信号に基づいて、パワー・モジュレータ１０２は、選択したレーダ波形を有する無線周波数（ＲＦ）信号（例えば図１に示す「無線周波数信号」）を生成することができる。例えば、パワー・モジュレータ１０２を利用して、レーダ波形信号または信号源あるいはその両方のパワーを変調することができる。パワー・モジュレータ１０２は、パワー・スプリッタ機能、パワー・ミキサ機能、またはパワー・コンバイナ機能、あるいはそれらの組合せを含んで、ＲＦ信号の生成を容易にすることができる。例えば、パワー・モジュレータ１０２は、信号源とレーダ波形信号を混合して、ＲＦ信号の生成を容易にすることができる。
【００１７】
特定の実施形態では、信号源は、レーダ波形信号と混合された局部発振器信号であることもある。例えば、パワー・モジュレータ１０２は、信号源（例えば局部発振器信号）を、第１の局部発振器信号と第２の局部発振器信号とに分割することができる。１態様では、第１の局部発振器信号の第１の位相は、第２の局部発振器信号の第２の位相と異なることがある。別の実施形態では、信号源は、周波数変調連続波レーダ（ＦＭＣＷ）信号を生成することができる。１例では、信号源（例えば局部発振器信号）は、例えば鋸歯状非正弦波形、方形非正弦波形、矩形非正弦波形、三角非正弦波形、または別のタイプのアナログ波形信号、あるいはそれらの組合せなどのアナログ信号であることもある。さらに、信号源（例えば局部発振器信号）は、第１の周波数および第１の振幅を有することがある。レーダ波形信号は、例えば、信号源との混合に利用されるベースバンド信号であることもある。パワー・モジュレータ１０２は、レーダ波形信号、第１の局部発振器信号、および第２の局部発振器信号に基づいて、ＲＦ信号を生成することができる。ＲＦ信号は、第２の周波数および第２の振幅を有することがある。１例では、ＲＦ信号の第２の周波数は、信号源の第１の周波数と異なることがある。さらに、ＲＦ信号の第２の振幅も、信号源の第１の振幅と異なることがある。ただし、代替の実施形態では、ＲＦ信号の第２の周波数が信号源の第１の周波数に対応する、またはＲＦ信号の第２の振幅が信号源の第１の振幅に対応する、あるいはその両方であることもある。１実施形態では、パワー・モジュレータ１０２は、第１の局部発振器信号を、信号発生器１０４によって提供されるレーダ波形信号（例えば第１のレーダ波形信号）の第１の部分と混合して、第１の混合信号を生成することができる。第１の混合信号は、第１の局部発振器信号をレーダ波形信号の第１の部分と混合することによって生成される第１のＲＦ信号であることもある。さらに、パワー・モジュレータ１０２は、第２の局部発振器信号を、信号発生器１０４によって提供されるレーダ波形信号（例えば第２のレーダ波形信号）の第２の部分と混合して、第２の混合信号を生成することができる。第２の混合信号は、第２の局部発振器信号をレーダ波形信号の第２の部分と混合することによって生成される第２のＲＦ信号であることもある。パワー・モジュレータ１０２は、第１の混合信号と第２の混合信号を結合して、ＲＦ信号を生成することもできる。
【００１８】
１実施形態では、信号発生器１０４は、レーダ波形信号のセットからレーダ波形信号を提供することができる。レーダ波形信号のセットは、例えば、ＦＭＣＷ信号、連続波レーダ（ＣＷ）信号、疑似ランダム・バイナリ・シーケンス（ＰＲＢＳ）信号、およびパルス信号を含む可能性がある。ＦＭＣＷ信号は、周波数は経時的に変調されるが、振幅は一定である連続波レーダ信号である。連続波レーダ信号は、一定の振幅および一定の周波数を有する正弦波などの電磁波である。ＰＲＢＳ信号は、バイナリ・シーケンスを有するバイナリ波形信号である。パルス信号は、振幅がベースライン値から１つまたは複数のより大きな値に変調され、その１つまたは複数の大きな値からベースライン値に戻るパルス波形に対応するアナログ信号またはバイナリ信号である。１態様では、パワー・モジュレータ１０２によって生成されるＲＦ信号は、２つ以上の波形を有する連続波（例えば連続レーダ波形）であることもある。１つの例では、パワー・モジュレータ１０２によって生成されるＲＦ信号は、第１のレーダ波形と、第１のレーダ波形とは異なる第２のレーダ波形とを少なくとも含む混合された連続波形であることもある。別の例では、パワー・モジュレータ１０２によって生成されるＲＦ信号は、第２のレーダ波形に対応する第１のレーダ波形を少なくとも含む連続波形であることもある。１実施形態では、レーダ波形信号は、パワー・モジュレータ１０２の構成を改変する制御信号であることもある。例えば、レーダ波形信号は、ＦＭＣＷ信号またはＣＷ信号あるいはその両方が信号源から生成されるようにパワー・モジュレータ１０２の１つまたは複数の特徴を改変する制御信号であることもある。別の例では、レーダ波形信号は、パルス信号が、第１のパルス信号と、第１のパルス信号と異なるパルス幅を有する第２のパルス信号とに基づいて生成されるようにパワー・モジュレータ１０２の１つまたは複数の特徴を改変する制御信号であることもある。第１のパルス信号または第２のパルス信号あるいはその両方は、信号発生器１０４によって提供することができる。さらに、第１のパルス信号を第２のパルス信号から引いて、パルス波形に関連する無線周波数信号を生成する、または既定の基準を満たすパルス波形を生成する（例えば鋭いパルス幅を有するパルス波形を生成するなど）、あるいはその両方を行うこともできる。あるいは、第２のパルス信号を第１のパルス信号から引いて、パルス波形に関連する無線周波数信号を生成することもできる。さらに別の例では、レーダ波形信号は、ＰＲＢＳ波形に関連する無線周波数信号の生成を容易にするコード化信号であることもある。コード化信号は、ＰＲＢＳコード、レーダ・コードのランダム・シーケンスに関連するバーカー（Ｂａｒｋｅｒ）コード、またはその他のコード化データ、あるいはそれらの組合せを含む可能性がある。特定の実施形態では、信号発生器１０４の特徴は、例えば１つまたは複数の機械に関連する１つまたは複数のコンピュータ可読媒体に実施されるなど機械（１つまたは複数）内に実施される、機械実行可能構成要素（１つまたは複数）を構成することがある。このような構成要素（１つまたは複数）は、例えばコンピュータ（１つまたは複数）、コンピューティング・デバイス（１つまたは複数）、仮想機械（１つまたは複数）など、１つまたは複数の機械によって実行されたときに、その機械（１つまたは複数）に、ここに記載する動作を実行させることができる。１態様では、信号発生器１０４は、コンピュータ実行可能構成要素および命令を記憶するメモリ（図示せず）を含むこともある。さらに、信号発生器１０４は、信号発生器１０４による命令（例えばコンピュータ実行可能構成要素、および対応する命令）の実行を容易にするプロセッサ（図示せず）を含むこともある。
【００１９】
図２は、本明細書に記載する１つまたは複数の実施形態による例示的な非限定的なシステム２００を示すブロック図である。簡潔にするために、本明細書に記載する他の実施形態でも用いられている同じ要素については、繰り返し説明することはしない。
【００２０】
システム２００は、パワー・モジュレータ１０２、および信号発生器１０４を含む。パワー・モジュレータ１０２は、増幅器２０２、パワー・スプリッタ２０４、第１のパワー・ミキサ２０６、第２のパワー・ミキサ２０８、またはパワー・コンバイナ２１０、あるいはそれらの組合せを含む可能性がある。第１のパワー・ミキサ２０６および第２のパワー・ミキサ２０８は、異なるタイプの信号である第１の信号と第２の信号とを混合する電子構成要素であることがある。パワー・コンバイナ２１０は、同じタイプの信号である第１の信号と第２の信号とを結合する電子構成要素であることがある。１実施形態では、信号源は、増幅器２０２が受信することができる。増幅器２０２は、信号源を増幅して、増幅信号源（例えば図２に示す「増幅信号源」）を生成することができる。増幅信号源は、パワー・スプリッタ２０４が受信することができる。増幅信号源は、局部発振器信号であることもある。代替の実施形態では、信号源は、パワー・スプリッタ２０４に直接送信されることもある（例えばパワー・モジュレータ１０２は、増幅器２０２なしで実施することもできる）。信号源が、局部発振器信号であることもある。パワー・スプリッタ２０４は、入力信号に基づいて、入力信号に対応する第１の出力信号と、入力信号に対応しているが、第１の出力信号とは異なる位相を有する第２の出力信号とを生成するパワー・スプリッタ回路であることもある。増幅信号源または信号源に基づいて、パワー・スプリッタ２０４は、第１の局部発振器信号（例えば図２に示す「第１の局部発振器信号」）、および第２の局部発振器信号（例えば図２に示す「第２の局部発振器信号」）を生成することができる。１実施形態では、パワー・スプリッタ２０４は、増幅信号源または信号源を、第１の局部発振器信号および第２の局部発振器信号に分割することができる。第１のパワー・ミキサ２０６は、第１の局部発振器信号、および信号発生器１０４によって生成される第１のレーダ波形信号（例えば「第１のレーダ波形信号」）を受信することができる。第２のパワー・ミキサ２０８は、第２の局部発振器信号、および信号発生器１０４によって生成される第２のレーダ波形信号（例えば「第２のレーダ波形信号」）を受信することができる。１実施形態では、第１のパワー・ミキサ２０６は、第１のＲＦミキサ回路であり、第２のパワー・ミキサ２０８は、第２のＲＦミキサ回路であることもある。第１の局部発振器信号および第１のレーダ波形信号に基づいて、第１のパワー・ミキサ２０６は、第１の混合信号（例えば図２に示す「第１の混合信号」）を生成することができる。第２の局部発振器信号および第２のレーダ波形信号に基づいて、第２のパワー・ミキサ２０８は、第２の混合信号（例えば図２に示す「第２の混合信号」）を生成することができる。第１の混合信号が、第１のＲＦ出力信号となり、第２の混合信号が、第２のＲＦ出力信号となることもある。パワー・コンバイナ２１０は、第１の混合信号および第２の混合信号に基づいてＲＦ信号を生成することができる。パワー・コンバイナ２１０は、パワー・コンバイナ回路であることがある。１態様では、パワー・コンバイナ２１０は、第１の混合信号と第２の混合信号を結合して、ＲＦ信号を生成することができる。１実施形態では、パワー・コンバイナ２１０は、ＲＦ信号のパワーを増大させる電力増幅器を含むことがある。パワー・コンバイナ２１０の電力増幅器は、例えば、第１の混合信号と第２の混合信号の能動結合を容易にするトランジスタのセットを含むことがある。これに加えて、または別法として、パワー・コンバイナ２１０は、ＲＦ信号のパワーの分布を改変する受動パワー・コンバイナを含むこともある。例えば、パワー・コンバイナ２１０は、ウィルキンソン・パワー・コンバイナを含むこともある。パワー・コンバイナ２１０の受動パワー・コンバイナは、例えば、第１の混合信号と第２の混合信号の受動結合を容易にする、コンデンサのセット、インダクタのセット、または金属抵抗のセット、あるいはそれらの組合せを含む可能性がある。これに加えて、または別法として、パワー・コンバイナ２１０は、ＲＦ信号の送信を容易にするアンテナを含むこともある。
【００２１】
特定の実施形態では、第１のパワー・ミキサ２０６は、信号源に関連する第１の局部発振器信号と混合される第１のベースバンド信号として、第１のレーダ波形信号を受信することができる。第１のレーダ波形信号は、第１の極性を有することがある。さらに、第２のパワー・ミキサ２０８は、信号源に関連する第２の局部発振器信号と混合される第２のベースバンド信号として、第２のレーダ波形信号を受信することができる。第２のレーダ波形信号は、第１の極性とは異なる第２の極性を有することがある。これに加えて、または別法として、第２のレーダ波形信号は、第１のレーダ波形信号とは異なる形状を有することもある。さらに、ＲＦ信号は、第１のベースバンド信号および第２のベースバンド信号に基づいて生成することができる。特定の実施形態では、第１のパワー・ミキサ２０６は、第１のレーダ波形信号および第１の局部発振器信号を受信する第１のトランジスタ構造を備えることがある。さらに、第２のパワー・ミキサ２０８は、第２のレーダ波形信号および第２の局部発振器信号を受信する第２のトランジスタ構造を備えることがある。
【００２２】
図３は、本明細書に記載する１つまたは複数の実施形態による例示的な非限定的なシステム３００を示すブロック図である。簡潔にするために、本明細書に記載する他の実施形態において用いられる同様の要素については、繰り返し説明することはしない。
【００２３】
システム３００は、パワー・モジュレータ１０２および信号発生器１０４を含む。パワー・モジュレータ１０２は、増幅器２０２、パワー・スプリッタ２０４、第１のパワー・ミキサ２０６、第２のパワー・ミキサ２０８、またはパワー・コンバイナ、あるいはそれらの組合せを含む可能性がある。信号生成器１０４は、周波数変調連続波（ＦＭＣＷ）構成要素３０２、コード構成要素３０４、またはパルス構成要素３０６、あるいはそれらの組合せを含む可能性がある。１例では、コード構成要素３０４は、疑似ランダム・バイナリ・シーケンス（ＰＲＢＳ）構成要素であることもある。信号発生器１０４は、ＦＭＣＷレーダ波形に関連するＦＭＣＷ構成要素３０２、ＰＲＢＳレーダ波形に関連するコード構成要素３０４、またはパルス・レーダ波形に関連するパルス構成要素３０６、あるいはそれらの組合せを利用することによって、様々なレーダ波形を生成する制御装置であることもある。例えば、信号発生器１０４は、パワー・モジュレータ１０２に送信するレーダ波形（例えば、ＦＭＣＷ構成要素３０２、コード構成要素３０４、またはパルス構成要素３０６、あるいはそれらの組合せからのレーダ波形）を選択するマルチプレクサ・デバイスとして実施されることもある。１実施形態では、ＦＭＣＷ構成要素３０２は、無線波形信号をＦＭＣＷ無線波形信号として提供することがある。例えば、１実施形態では、ＦＭＣＷ構成要素３０２は、第１の無線波形信号を第１のＦＭＣＷ無線波形信号として生成することがある。さらに、ＦＭＣＷ構成要素３０２は、第２の無線波形信号を第２のＦＭＣＷ無線波形信号として生成することもある。あるいは、ＦＭＣＷ構成要素３０２は、無線波形信号をＣＷ無線波形信号として提供することもある。例えば、１実施形態では、ＦＭＣＷ構成要素３０２は、第１の無線波形信号を第１のＣＷ無線波形信号として生成することがある。さらに、ＦＭＣＷ構成要素３０２は、第２の無線波形信号を第２のＣＷ無線波形信号として生成することもある。ＦＭＣＷ構成要素３０２によって生成される第１の無線波形信号を、直流信号として構成された第１のベースバンド信号（例えば第１のＦＭＣＷベースバンド信号または第１のＣＷベースバンド信号）とし、ＦＭＣＷ構成要素３０２によって生成される第２の無線波形信号を、直流信号として構成された第２のベースバンド信号（例えば第２のＦＭＣＷベースバンド信号または第２のＣＷベースバンド信号）として、パワー・モジュレータ１０２が電力増幅器として動作することを容易にすることもできる。別の実施形態では、コード構成要素３０４は、無線波形信号をＰＲＢＳ無線波形信号として提供することがある。例えば、１実施形態では、コード構成要素３０４は、第１の無線波形信号を第１のＰＲＢＳ無線波形信号として生成することがある。さらに、コード構成要素３０４は、第２の無線波形信号を第２のＰＲＢＳ無線波形信号として生成することもある。代替の実施形態では、コード構成要素３０４は、第１の無線波形信号を第１のバーカー・コード無線波形信号として生成することもある。さらに、コード構成要素３０４は、第２の無線波形信号を第２のバーカー・コード無線波形信号として生成することもある。１態様では、第１のパワー・ミキサ２０６に提供される第１の無線波形信号は、第２のパワー・ミキサ２０８に提供される第２のレーダ波形信号と逆の極性を有することがある。さらに別の実施形態では、パルス構成要素３０６は、無線波形信号をパルス無線波形信号として提供することがある。例えば、１実施形態では、パルス構成要素３０６は、第１の無線波形信号を第１のパルス無線波形信号として生成することもある。さらに、パルス構成要素３０６は、第２の無線波形信号を第２のパルス無線波形信号として生成することもある。第１の無線波形信号を、第１のベースバンド信号とし、第２の無線波形信号を、第２のベースバンド信号とすることもできる。さらに、パルス構成要素３０６によって提供される第１の無線波形信号および第２の無線波形信号は、わずかに異なる幅を有する比較的広いパルスを有することがある。例えば、第１の無線波形信号と第２の無線波形信号とは、立ち上がり縁部で整列させることができ、異なるパルス幅を有することがある。第１のパワー・ミキサ２０６に提供される第１の局部発振器信号は、第２のパワー・ミキサ２０８に提供される第２の局部発振器信号と逆の極性を有するので、第１の無線波形信号および第２の無線波形信号が「高」であるときには、第１のパワー・ミキサ２０６からの第１の混合信号と、第２のパワー・ミキサ２０８からの第２の混合信号とが、打ち消し合うことがある。ただし、第１の無線波形信号が「高」であり、第２の無線波形信号が「低」である（または第１の無線波形信号が「低」であり、第２の無線波形信号が「高」である）短い期間の間は、第１のパワー・ミキサ２０６からの第１の混合信号と第２のパワー・ミキサ２０８からの第２の混合信号とが打ち消し合わず、パワー・コンバイナ２１０は、狭いパルスを有する無線周波数信号を生成することができる。したがって、改善されたレーダ精度を実現することができる。
【００２４】
特定の実施形態では、第１のレーダ波形信号を、第１の制御信号とし、第２のレーダ波形信号を、第２の制御信号とすることができる。１実施形態では、ＦＭＣＷ構成要素３０２は、第１のレーダ波形信号を、第１のパワー・ミキサ２０６のための第１の制御信号として提供する、または第２のレーダ波形信号を第２のパワー・ミキサ２０８のための第２の制御信号として提供する、あるいはその両方を行って、ＦＭＣＷ信号またはＣＷ信号あるいはその両方を信号源から生成できるようにすることができる。別の実施形態では、コード構成要素３０４は、第１のレーダ波形信号を、第１のパワー・ミキサ２０６のための第１のコード化信号として提供する、または第２のレーダ波形信号を第２のパワー・ミキサ２０８のための第２のコード化信号として提供する、あるいはその両方を行って、ＰＲＢＳ波形に関連する無線周波数信号の生成を容易にすることができる。コード構成要素３０４によって提供される第１のコード化信号は、ＰＲＢＳコード、レーダ・コードのランダム・シーケンスに関連するバーカー・コード、またはその他のコード化データ、あるいはそれらの組合せを含む可能性がある。さらに、コード構成要素３０４によって提供される第２のコード化信号は、第１のコード化信号とは逆の極性を有することがある。さらに、第２のコード化信号は、ＰＲＢＳコード、レーダ・コードのランダム・シーケンスに関連するバーカー・コード、またはその他のコード化データ、あるいはそれらの組合せを含む可能性がある。さらに別の実施形態では、パルス構成要素３０６は、第１のレーダ波形信号を、第１のパワー・ミキサ２０６のための第１のパルス信号（例えば第１のパルス制御信号）として提供する、または第２のレーダ波形信号を、第２のパワー・ミキサ２０８のための第２のパルス信号（例えば第２のパルス制御信号）を提供する、あるいはその両方を行って、無線周波数信号に関連するパルス信号を第１のパルス信号および第２のパルス信号に基づいて生成できるようにすることができる。パルス構成要素３０６によって提供される第２のパルス信号は、パルス構成要素３０６によって提供される第１のパルス信号とは異なるパルス幅を有することがある。さらに、第１のパルス信号を第２のパルス信号から引いて、パルス波形に関連する無線周波数信号を生成することもできる。あるいは、第２のパルス信号を第１のパルス信号から引いて、パルス波形に関連する無線周波数信号を生成することもできる。したがって、無線周波数信号の総パルス時間幅を短縮することができる。第１のパルス信号（例えば第１のパルス制御信号）を、第１のデジタル・パルス信号とし、第２のパルス信号（例えば第２のパルス制御信号）を、第１のパルス信号とは異なるパルス幅値を有する第２のデジタル・パルス信号とすることもできる。パワー・コンバイナ２１０によって提供される無線周波数信号は、正弦パルス信号であることもある。
【００２５】
特定の実施形態では、信号発生器１０４の特徴は、例えば１つまたは複数の機械に関連する１つまたは複数のコンピュータ可読媒体に実施されるなど機械（１つまたは複数）内に実施される、機械実行可能構成要素（１つまたは複数）を構成することがある。このような構成要素（１つまたは複数）は、例えばコンピュータ（１つまたは複数）、コンピューティング・デバイス（１つまたは複数）、仮想機械（１つまたは複数）など、１つまたは複数の機械によって実行されたときに、その機械（１つまたは複数）に、ここに記載する動作を実行させることができる。１態様では、信号発生器１０４は、コンピュータ実行可能構成要素および命令を記憶するメモリを含むこともある。さらに、信号発生器１０４は、信号発生器１０４による命令（例えばコンピュータ実行可能構成要素、および対応する命令）の実行を容易にするプロセッサを含むこともある。１態様では、信号発生器１０４は、ＦＭＣＷ構成要素３０２、コード構成要素３０４、またはパルス構成要素３０６、あるいはそれらの組合せを含む可能性があり、１つまたは複数の実施形態では、メモリまたはプロセッサあるいはその両方は、電気的に、または通信可能に、あるいはその両方の形態で、互いに結合される可能性がある。
【００２６】
図４は、本明細書に記載する１つまたは複数の実施形態による例示的な非限定的なシステム４００を示すブロック図である。簡潔にするために、本明細書に記載する他の実施形態でも用いられている同じ要素については、繰り返し説明することはしない。
【００２７】
システム４００は、信号発生器１０４の１実施形態を例示することができる。システム４００は、コード・ジェネレータ／バッファ４０２、プログラマブル・パルス発生器４０４、マルチプレクサ４０６、第１のドライバ４０８、または第２のドライバ４１０、あるいはそれらの組合せを含む可能性がある。第１のドライバ４０８は、モード・スイッチ４１２を少なくとも含む可能性がある。第２のドライバ４１０は、モード・スイッチ４１４を少なくとも含む可能性がある。コード・ジェネレータ／バッファ４０２は、コード入力（例えば図４に示す「コード入力」）を受信することができる。コード入力は、例えば、ＰＲＢＳ入力であることもある。コード入力に基づいて、コード・ジェネレータ／バッファ４０２は、コード信号（例えば図４に示す「コード信号」）を生成することができる。コード信号は、例えば、ＰＲＢＳ信号であることがある。コード信号は、ＰＲＢＳコード、レーダ・コードのランダム・シーケンスに関連するバーカー・コード、またはその他のコード化データ、あるいはそれらの組合せを含む可能性がある。１例では、コード・ジェネレータ／バッファ４０２は、コード入力をバッファリングして、コード信号の生成を容易にすることができる。別の例では、コード・ジェネレータ／バッファ４０２は、コード生成クロック入力（例えば図４に示す「コード生成クロック入力」）をさらに受信することもある。１実施形態では、コード・ジェネレータ／バッファ４０２は、コード・ジェネレータ４０１、およびマルチプレクサ４０５を含むことがある。コード・ジェネレータ４０１は、コード生成クロック入力を受信することができる。コード生成クロック入力に基づいて、コード・ジェネレータ４０１は、レーダ・コード（例えば図４に示す「レーダ・コード」）を生成することができる。１例では、レーダ・コードは、コード生成クロック入力に基づいて生成されるＰＲＢＳコード信号であることがある。マルチプレクサ４０５は、コード入力およびレーダ・コードを受信することができる。さらに、マルチプレクサ４０５は、コード入力（例えば外部コード入力）またはレーダ・コード（例えば内部で生成されたコード信号）のいずれかを、コード信号として選択することができる。したがって、特定の実施形態では、コード信号は、所与のコード生成クロック入力について、コード・ジェネレータ／バッファ４０２によって内部で生成されることもある。１態様では、コード・ジェネレータ／バッファ４０２は、コード入力用の増幅器またはバッファ、あるいはその両方であることもある。別の実施形態では、コード信号は、第１のコード信号および第２のコード信号を含むことがある。１例では、第１のコード信号は、第２のコード信号を反転させたものであることもある（あるいは、第２のコード信号が、第１のコード信号を反転させたものであることもある）。第１のコード信号および第２のコード信号は、まとめて差動コード信号と考えることもできる。プログラマブル・パルス発生器４０４は、パルス・クロック入力（例えば図４に示す「パルス・クロック入力」）を受信することができる。プログラマブル・パルス発生器４０４は、プログラマブル遅延発生器、または論理ゲートのセット、あるいはその両方を含むことがある。パルス・クロック入力に基づいて、プログラマブル・パルス発生器４０４は、パルス信号（例えば図４に示す「パルス信号」）を生成することができる。１実施形態では、パルス信号は、第１のパルス信号および第２のパルス信号を含むことがある。１例では、第１のパルス信号を、第２のパルス信号と整列させることもできる。さらに、第１のパルス信号のパルスは、第２のパルス信号のパルスより短いこともある（あるいは、第２のパルス信号のパルスが、第１のパルス信号のパルスより短いこともある）。マルチプレクサ４０６は、コード信号およびパルス信号を受信することができる。マルチプレクサ４０６は、コード信号またはパルス信号のいずれかを出力として選択することができる。さらに、選択信号（例えば図４に示す「選択信号」）が、第１のドライバ４０８のモード・スイッチ４１２、および第２のドライバ４１０のモード・スイッチ４１４に提供されることがある。この選択信号に基づいて、モード・スイッチ４１２およびモード・スイッチ４１４は、マルチプレクサ４０６からの信号（例えばコード信号またはパルス信号のための）を通過させるか、ＤＣ信号（例えばＣＷレーダ波形信号またはＦＭＣＷレーダ波形信号）を通過させるかを選択することができる。マルチプレクサ４０６によるコード信号の選択に応答して、コード信号を、第１のドライバ４０８に提供することができる。特定の実施形態では、第１のドライバ４０８は、コード信号の電圧レベルを修正することができるレベル・シフタ（図示せず）を含むことがある。例えば、レベル・シフタは、パワー・モジュレータ１０２を適切に駆動するためにコード信号の電圧レベルを変化させることができる。特定の実施形態では、コード信号の電圧レベルを修正する前に、１つまたは複数のインバータを使用してコード信号をバッファリングすることもある。
【００２８】
さらに、第１のドライバ４０８のモード・スイッチ４１２は、ＦＭＣＷレーダ波形信号またはＣＷレーダ波形信号を生成することができる。特定の実施形態では、モード・スイッチ４１２は、モードの選択を容易にする論理ゲートのセットを含むことがある。ＦＭＣＷレーダ波形信号またはＣＷレーダ波形信号を、第１のレーダ波形信号として提供することができる。マルチプレクサ４０６によるコード信号の選択に応答して、コード信号を、第２のドライバ４１０に提供することもできる。特定の実施形態では、第２のドライバ４１０は、コード信号の電圧レベルを修正することができるレベル・シフタ（図示せず）を含むことがある。特定の実施形態では、コード信号の電圧レベルを修正する前に、１つまたは複数のインバータを使用してコード信号をバッファリングすることもある。さらに、第２のドライバ４１０のモード・スイッチ４１４は、修正された電圧レベルを有するコード信号に基づいて、ＦＭＣＷレーダ波形信号またはＣＷレーダ波形信号を生成することができる。特定の実施形態では、モード・スイッチ４１４は、モードの選択を容易にする論理ゲートのセットを含むことがある。ＦＭＣＷレーダ波形信号またはＣＷレーダ波形信号は、第２のレーダ波形信号として提供することができる。１態様では、第２のレーダ波形信号は、第１のレーダ波形信号とは逆の極性を有することがある。第２のドライバ４１０のモード・スイッチ４１４が、第２のレーダ波形信号に逆の極性を与えることができる。
【００２９】
ただし、マルチプレクサ４０６によるパルス信号の選択に応答して、パルス信号を第２のドライバ４１０に提供することができる。特定の実施形態では、第１のドライバ４０８は、パルス信号の電圧レベルを修正することができるレベル・シフタ（図示せず）を含むことがある。特定の実施形態では、パルス信号の電圧レベルを修正する前に、１つまたは複数のインバータを使用して、パルス信号をバッファリングすることがある。さらに、第１のドライバ４０８のモード・スイッチ４１２は、修正された電圧レベルを有するパルス信号に基づいて、第１のパルス信号または第２のパルス信号を生成することができる。第１のパルス信号または第２のパルス信号は、第１のレーダ波形信号として提供することができる。マルチプレクサ４０６によるパルス信号の選択に応答して、パルス信号を第２のドライバ４１０に提供することもできる。特定の実施形態では、第２のドライバ４１０は、パルス信号の電圧レベルを修正することができるレベル・シフタ（図示せず）を含むことがある。特定の実施形態では、パルス信号の電圧レベルを修正する前に、１つまたは複数のインバータを使用して、パルス信号をバッファリングすることがある。さらに、第２のドライバ４１０のモード・スイッチ４１４は、修正された電圧レベルを有するパルス信号に基づいて、第１のパルス信号または第２のパルス信号を生成することができる。第１のパルス信号または第２のパルス信号は、第２のレーダ波形信号として提供することができる。１実施形態では、第１のレーダ波形信号は、第１の極性を有する第１のレーダ波形信号の第１の信号経路、および第１のレーダ波形信号の第１の極性とは逆の第２の極性を有する第１のレーダ波形信号の第２の信号経路として提供することができる。さらに、第２のレーダ波形信号は、第１の極性を有する第２のレーダ波形信号の第１の信号経路、および第２のレーダ波形信号の第１の極性とは逆の第２の極性を有する第２のレーダ波形信号の第２の信号経路として提供することもできる。特定の実施形態では、第１のドライバ４０８は、モード・スイッチ４１２に電圧バイアスを提供するバイアス発生器４１３を含むことがある。さらに、特定の実施形態では、第２のドライバ４１０は、モード・スイッチ４１４に電圧バイアスを提供するバイアス発生器４１５を含むことがある。
【００３０】
図５は、本明細書に記載する１つまたは複数の実施形態による例示的な非限定的なシステム５００を示すブロック図である。簡潔にするために、本明細書に記載する他の実施形態でも用いられている同じ要素については、繰り返し説明することはしない。
【００３１】
システム５００は、第１のパワー・ミキサ２０６および第２のパワー・ミキサ２０８の１実施形態を例示することができる。図５に示す第１のパワー・ミキサ２０６および第２のパワー・ミキサ２０８は、第１の混合信号および第２の混合信号の生成を容易にすることができる。例えば、図５に示す信号Ｏｕｔ＋は、第１の混合信号の第１の部分、および同じ極性を有する第２の混合信号の第１の部分に対応することがある。さらに、図５に示す信号Ｏｕｔ−は、第１の混合信号の第２の部分、および同じ極性を有する第２の混合信号の第２の部分に対応することがある。第１のパワー・ミキサ２０６は、トランジスタ５０２、トランジスタ５０４、トランジスタ５０６、トランジスタ５０８、トランジスタ５１０、トランジスタ５１２、トランジスタ５１４、およびトランジスタ５１６を含むことがある。１実施形態では、トランジスタ５０２、トランジスタ５０４、トランジスタ５０６、トランジスタ５０８、トランジスタ５１０、トランジスタ５１２、トランジスタ５１４、またはトランジスタ５１６、あるいはそれらの組合せは、金属酸化膜半導体電界効果トランジスタであることがある。トランジスタ５０２のゲートは、信号ＬＯ＋を受信することがあり、トランジスタ５０４のゲートは、信号ＬＯ−を受信することがある。信号ＬＯ＋と信号ＬＯ−は、信号ＬＯ＋と信号ＬＯ−の間の位相差が１８０度に等しい逆位相信号であることがある。さらに、信号ＬＯ＋および信号ＬＯ−は、パワー・スプリッタ２０４によって提供される第１の局部発振器信号を表すこともある。
【００３２】
トランジスタ５０６のゲート、およびトランジスタ５０８のゲートは、信号ＢＢ１＋を受信することがある。トランジスタ５１０のゲート、およびトランジスタ５１２のゲートは、信号ＢＢ１−を受信することがある。信号ＢＢ１＋と信号ＢＢ１−は、信号ＢＢ１＋と信号ＢＢ１−の間の位相差が１８０度に等しい逆位相信号であることがある。信号ＢＢ１＋および信号ＢＢ１−は、ベースバンド信号であることもある。さらに、信号ＢＢ１＋および信号ＢＢ１−は、信号発生器１０４によって提供される第１のレーダ波形信号を表すこともある。トランジスタ５０２のソースは、トランジスタ５０４のソースに電気的に接続されることがある。トランジスタ５０２のソース、およびトランジスタ５０４のソースは、電気的接地に接続されることもある。トランジスタ５０２のドレインは、インダクタ５１８の第１の端部に電気的に接続されることがある。インダクタ５１８の第２の端部は、トランジスタ５０６のソースおよびトランジスタ５１０のソースに電気的に接続されることがある。トランジスタ５０４のドレインは、インダクタ５２０の第１の端部に電気的に接続されることがある。インダクタ５２０の第２の端部は、トランジスタ５０８のソースおよびトランジスタ５１２のソースに電気的に接続されることがある。さらに、トランジスタ５１０のゲートは、トランジスタ５１２のゲートに電気的に接続されることがある。トランジスタ５０６のドレインは、インダクタ５２２の第１の端部およびトランジスタ５１２のドレインに電気的に接続されることがある。トランジスタ５０８のドレインは、インダクタ５２４の第１の端部およびトランジスタ５１０のドレインに電気的に接続されることがある。トランジスタ５１４のソースは、インダクタ５２２の第２の端部に電気的に接続されることがある。さらに、トランジスタ５１６のソースは、インダクタ５２４の第２の端部に電気的に接続されることがある。
【００３３】
第２のパワー・ミキサ２０８は、トランジスタ５３２、トランジスタ５３４、トランジスタ５３６、トランジスタ５３８、トランジスタ５４０、トランジスタ５４２、トランジスタ５４４、およびトランジスタ５４６を含むことがある。１実施形態では、トランジスタ５３２、トランジスタ５３４、トランジスタ５３６、トランジスタ５３８、トランジスタ５４０、トランジスタ５４２、トランジスタ５４４、またはトランジスタ５４６、あるいはそれらの組合せは、金属酸化膜半導体電界効果トランジスタであることがある。トランジスタ５３２のゲートは、信号ＬＯ−を受信することがあり、トランジスタ５３４のゲートは、信号ＬＯ＋を受信することがある。信号ＬＯ−と信号ＬＯ＋は、信号ＬＯ−と信号ＬＯ＋の間の位相差が１８０度に等しい逆位相信号であることがある。さらに、信号ＬＯ−および信号ＬＯ＋は、パワー・スプリッタ２０４によって提供される第２の局部発振器信号を表すこともある。
【００３４】
トランジスタ５３６のゲート、およびトランジスタ５３８のゲートは、信号ＢＢ２＋を受信することがある。トランジスタ５４０のゲート、およびトランジスタ５４２のゲートは、信号ＢＢ２−を受信することがある。信号ＢＢ２＋と信号ＢＢ２−は、信号ＢＢ２＋と信号ＢＢ２−の間の位相差が１８０度に等しい逆位相信号であることがある。信号ＢＢ２＋および信号ＢＢ２−は、ベースバンド信号であることもある。さらに、信号ＢＢ２＋および信号ＢＢ２−は、信号発生器１０４によって提供される第２のレーダ波形信号を表すこともある。トランジスタ５３２のソースは、トランジスタ５３４のソースに電気的に接続されることがある。トランジスタ５３２のソース、およびトランジスタ５３４のソースは、電気的接地に接続されることもある。トランジスタ５３２のドレインは、インダクタ５４８の第１の端部に電気的に接続されることがある。インダクタ５４８の第２の端部は、トランジスタ５３６のソースおよびトランジスタ５４０のソースに電気的に接続されることがある。トランジスタ５３４のドレインは、インダクタ５５０の第１の端部に電気的に接続されることがある。インダクタ５５０の第２の端部は、トランジスタ５３８のソースおよびトランジスタ５４２のソースに電気的に接続されることがある。さらに、トランジスタ５４０のゲートは、トランジスタ５４２のゲートに電気的に接続されることがある。トランジスタ５３６のドレインは、インダクタ５５２の第１の端部およびトランジスタ５４２のドレインに電気的に接続されることがある。トランジスタ５３８のドレインは、インダクタ５５４の第１の端部およびトランジスタ５４０のドレインに電気的に接続されることがある。トランジスタ５４４のソースは、インダクタ５５２の第２の端部に電気的に接続されることがあり、トランジスタ５４６のソースは、インダクタ５５４の第２の端部に電気的に接続されることがある。
【００３５】
トランジスタ５１４のドレインおよびトランジスタ５１２のドレインは、第１の混合信号を提供することがある。トランジスタ５４４のドレインおよびトランジスタ５４２のドレインは、第２の混合信号を提供することがある。さらに、トランジスタ５１４のドレインは、トランジスタ５４４のドレインに電気的に接続されて、電気的ノード５６０を形成することがある。さらに、トランジスタ５１６のドレインは、トランジスタ５４６のドレインに電気的に接続されて、電気的ノード５６２を形成することがある。電気的ノード５６０は、信号Ｏｕｔ＋に関連することがあり、電気的ノード５６２は、信号Ｏｕｔ−に関連することがある。信号Ｏｕｔ＋は、第１の混合信号の第１の部分、および同じ極性を有する第２の混合信号の第１の部分に対応することがある。信号Ｏｕｔ−は、第１の混合信号の第２の部分、および同じ極性を有する第２の混合信号の第２の部分に対応することがある。トランジスタ５１４のゲートは、電気的接地に接続されることがある。トランジスタ５１６のゲートは、電気的接地に接続されることがある。特定の実施形態では、トランジスタ５１４のゲートが、第１のコンデンサに電気的に接続される、またはトランジスタ５１６のゲートが、第２のコンデンサに電気的に接続される、あるいはその両方であることがある。トランジスタ５４４のゲートは、電気的接地に接続されることがあり、トランジスタ５４６のゲートは、電気的接地に接続されることがある。特定の実施形態では、トランジスタ５４４のゲートが、第３のコンデンサに電気的に接続される、またはトランジスタ５４６のゲートが、第４のコンデンサに電気的に接続される、あるいはその両方であることがある。
【００３６】
図６は、本明細書に記載する１つまたは複数の実施形態による例示的な非限定的なシステム６００を示すブロック図である。簡潔にするために、本明細書に記載する他の実施形態でも用いられている同じ要素については、繰り返し説明することはしない。
【００３７】
システム６００は、第１のパワー・ミキサ２０６および第２のパワー・ミキサ２０８を含むことがある。第１のパワー・ミキサ２０６は、トランジスタ５０２、トランジスタ５０４、トランジスタ５０６、トランジスタ５０８、トランジスタ５１０、トランジスタ５１２、トランジスタ５１４、トランジスタ５１６、トランジスタ５１８、インダクタ５２０、インダクタ５２２、またはインダクタ５２４、あるいはそれらの組合せを含むことがある。第２のパワー・ミキサ２０８は、トランジスタ５３２、トランジスタ５３４、トランジスタ５３６、トランジスタ５３８、トランジスタ５４０、トランジスタ５４２、トランジスタ５４４、トランジスタ５４６、トランジスタ５４８、インダクタ５５０、インダクタ５５２、またはインダクタ５５４、あるいはそれらの組合せを含むことがある。
【００３８】
システム６００は、ＦＭＣＷモード中の第１のパワー・ミキサ２０６および第２のパワー・ミキサ２０８の１実施形態を例示することができる。信号ＢＢ１＋（例えばトランジスタ５０６のゲートおよびトランジスタ５０８のゲート）は、第１のＤＣ電圧値と等しいことがある。さらに、信号ＢＢ１−（例えばトランジスタ５１０のゲートおよびトランジスタ５１２のゲート）は、第２のＤＣ電圧値と等しいことがある。さらに、信号ＢＢ２＋（例えばトランジスタ５３６のゲートおよびトランジスタ５３８のゲート）は、第２のＤＣ電圧値と等しいことがある。さらに、信号ＢＢ２−（例えばトランジスタ５４０のゲートおよびトランジスタ５４２のゲート）は、第１のＤＣ電圧値と等しいことがある。したがって、第１のパワー・ミキサ２０６の信号ＢＢ１＋および信号ＢＢ１−は、第２のパワー・ミキサ２０８の信号ＢＢ２＋および信号ＢＢ２−と異なる極性を有することがある。１実施形態では、信号ＢＢ１＋は、１．５Ｖに等しいことがあり、信号ＢＢ１−は、０Ｖに等しいことがある。１態様では、信号発生器１０４によって提供されるレーダ波形信号は、信号ＢＢ１＋、信号ＢＢ１−、信号ＢＢ２＋、または信号ＢＢ２−、あるいはそれらの組合せのＤＣ電圧値を制御する制御信号であることがある。別の態様では、図６に示す第１のパワー・ミキサ２０６は、第１の差動電力増幅器として動作することがある。インダクタ５１８、インダクタ５２０、インダクタ５２２、またはインダクタ５２４、あるいはそれらの組合せは、ＲＦ信号の帯域幅の拡張を容易にすることもできる。図６に示す第１のパワー・ミキサ２０６は、デバイス積層を利用して、より高い供給電圧でＲＦ信号の出力パワーを上昇させることもできる。別の実施形態では、信号ＢＢ２＋は、０Ｖに等しいことがあり、信号ＢＢ２−は、１．５Ｖに等しいことがある。１態様では、図６に示す第２のパワー・ミキサ２０８は、第２の差動電力増幅器として動作することがある。インダクタ５５０、インダクタ５５２、またはインダクタ５５４、あるいはそれらの組合せは、ＲＦ信号の帯域幅の拡張を容易にすることもできる。図６に示す第２のパワー・ミキサ２０８は、デバイス積層を利用して、ＲＦ信号の出力パワーを上昇させることもできる。したがって、第１のパワー・ミキサ２０６に関連する第１の混合信号および第２のパワー・ミキサ２０８に関連する第２の混合信号（例えば結合されてＲＦ信号を形成する第１の混合信号および第２の混合信号）は、ＦＭＣＷ  ＲＦ信号の生成を容易にすることができる。非限定的な例では、ＲＦ信号６０２は、信号Ｏｕｔ＋および信号Ｏｕｔ−に関連する例示的なＦＭＣＷ  ＲＦ信号であることがある。
【００３９】
図７は、本明細書に記載する１つまたは複数の実施形態による例示的な非限定的なシステム７００を示すブロック図である。簡潔にするために、本明細書に記載する他の実施形態でも用いられている同じ要素については、繰り返し説明することはしない。
【００４０】
システム７００は、第１のパワー・ミキサ２０６および第２のパワー・ミキサ２０８を含むことがある。第１のパワー・ミキサ２０６は、トランジスタ５０２、トランジスタ５０４、トランジスタ５０６、トランジスタ５０８、トランジスタ５１０、トランジスタ５１２、トランジスタ５１４、トランジスタ５１６、トランジスタ５１８、インダクタ５２０、インダクタ５２２、またはインダクタ５２４、あるいはそれらの組合せを含むことがある。第２のパワー・ミキサ２０８は、トランジスタ５３２、トランジスタ５３４、トランジスタ５３６、トランジスタ５３８、トランジスタ５４０、トランジスタ５４２、トランジスタ５４４、トランジスタ５４６、トランジスタ５４８、インダクタ５５０、インダクタ５５２、またはインダクタ５５４、あるいはそれらの組合せを含むことがある。
【００４１】
システム７００は、ＰＲＢＳモード中の第１のパワー・ミキサ２０６および第２のパワー・ミキサ２０８の１実施形態を例示することができる。１実施形態では、信号ＢＢ１＋（例えばトランジスタ５０６のゲートおよびトランジスタ５０８のゲート）は、第１のＰＲＢＳ波形に対応することがある。さらに、信号ＢＢ１−（例えばトランジスタ５１０のゲートおよびトランジスタ５１２のゲート）は、第２のＰＲＢＳ波形に対応することがある。１態様では、図７に示す第１のパワー・ミキサ２０６は、第１の直接２値位相シフト・キーイング（ＢＰＳＫ）変調器として動作することがある。別の実施形態では、信号ＢＢ２＋（例えばトランジスタ５３６のゲートおよびトランジスタ５３８のゲート）は、第２のＰＲＢＳ波形と等しいことがある。さらに、信号ＢＢ２−（例えばトランジスタ５４０のゲートおよびトランジスタ５４２のゲート）は、第１のＰＲＢＳ波形に対応することがある。したがって、第１のパワー・ミキサ２０６の信号ＢＢ１＋および信号ＢＢ１−は、第２のパワー・ミキサ２０８の信号ＢＢ２＋および信号ＢＢ２−と異なる極性を有することがある。１態様では、図７に示す第２のパワー・ミキサ２０８は、第２のＢＰＳＫ変調器として動作することがある。したがって、第１のパワー・ミキサ２０６に関連する第１の混合信号および第２のパワー・ミキサ２０８に関連する第２の混合信号（例えば結合されてＲＦ信号を形成する第１の混合信号および第２の混合信号）は、ＰＲＢＳ  ＲＦ信号の生成を容易にすることができる。非限定的な例では、ＲＦ信号７０２は、信号Ｏｕｔ＋および信号Ｏｕｔ−に関連する例示的なＰＲＢＳ  ＲＦ信号であることがある。
【００４２】
図８は、本明細書に記載する１つまたは複数の実施形態による例示的な非限定的なシステム８００を示すブロック図である。簡潔にするために、本明細書に記載する他の実施形態でも用いられている同じ要素については、繰り返し説明することはしない。
【００４３】
システム８００は、第１のパワー・ミキサ２０６および第２のパワー・ミキサ２０８を含むことがある。第１のパワー・ミキサ２０６は、トランジスタ５０２、トランジスタ５０４、トランジスタ５０６、トランジスタ５０８、トランジスタ５１０、トランジスタ５１２、トランジスタ５１４、トランジスタ５１６、トランジスタ５１８、インダクタ５２０、インダクタ５２２、またはインダクタ５２４、あるいはそれらの組合せを含むことがある。第２のパワー・ミキサ２０８は、トランジスタ５３２、トランジスタ５３４、トランジスタ５３６、トランジスタ５３８、トランジスタ５４０、トランジスタ５４２、トランジスタ５４４、トランジスタ５４６、トランジスタ５４８、インダクタ５５０、インダクタ５５２、またはインダクタ５５４、あるいはそれらの組合せを含むことがある。
【００４４】
システム８００は、パルス・モード中の第１のパワー・ミキサ２０６および第２のパワー・ミキサ２０８の１実施形態を例示することができる。１実施形態では、信号ＢＢ１＋（例えばトランジスタ５０６のゲートおよびトランジスタ５０８のゲート）は、第１のパルス波形（例えば第１のパルス制御信号）に対応することがある。さらに、信号ＢＢ１−（例えばトランジスタ５１０のゲートおよびトランジスタ５１２のゲート）は、第２のパルス波形（例えば第２のパルス制御信号）に対応することがある。別の実施形態では、信号ＢＢ２＋（例えばトランジスタ５３６のゲートおよびトランジスタ５３８のゲート）は、第３のパルス波形（例えば第３のパルス制御信号）に等しいことがある。さらに、信号ＢＢ２−（例えばトランジスタ５４０のゲートおよびトランジスタ５４２のゲート）は、第４のパルス波形（例えば第４のパルス制御信号）に対応することがある。１態様では、第３のパルス波形は、第１のパルス波形とは異なるパルス幅を有することがある。これに加えて、または別法として、第４のパルス波形は、第２のパルス波形とは異なるパルス幅を有することがある。したがって、信号ＢＢ１＋および信号ＢＢ１−は、異なるパルス波形を有しながら、信号ＢＢ２＋および信号ＢＢ２−と同じ極性を有することがある。したがって、第１のパワー・ミキサ２０６に関連する第１の混合信号および第２のパワー・ミキサ２０８に関連する第２の混合信号（例えば結合されてＲＦ信号を形成する第１の混合信号および第２の混合信号）は、パルスＲＦ信号の生成を容易にすることができる。例えば、第１のパワー・ミキサ２０６に関連する第１の混合信号および第２のパワー・ミキサ２０８に関連する第２の混合信号は、第１のパルス波形および第２のパルス波形の持続時間より短い持続時間を有するパルスＲＦ信号の生成を容易にすることができる。１態様では、パルスＲＦ信号のパルス幅は、第１のパルス波形および第２のパルス波形のパルス制御幅の差に基づいて生成されることがある。非限定的な例では、ＲＦ信号８０２は、信号Ｏｕｔ＋および信号Ｏｕｔ−に関連する例示的なパルスＲＦ信号であることがある。
【００４５】
図９は、本明細書に記載する１つまたは複数の実施形態による例示的な非限定的なＲＦ信号を示す図である。簡潔にするために、本明細書に記載する他の実施形態でも用いられている同じ要素については、繰り返し説明することはしない。
【００４６】
図９は、例示的な非限定的なＲＦ信号９００、例示的な非限定的なＲＦ信号９０２、例示的な非限定的なＲＦ信号９０４、および例示的な非限定的なＲＦ信号９０６を含む。ＲＦ信号９００、ＲＦ信号９０２、ＲＦ信号９０４、およびＲＦ信号９０６は、パワー・モジュレータ１０２によって生成されるＲＦ信号であることもある。例えば、ＲＦ信号９００は、パワー・モジュレータ１０２によって生成されるパルスＲＦ信号であることがある。ＲＦ信号９００のｘ軸は、時間に対応することがあり、このＲＦ信号のｙ軸は、周波数に対応することがある。ＲＦ信号９００は、例えば医療用撮像の適用分野など、特定の技術的適用分野に利用することができる。ＲＦ信号９０２は、パワー・モジュレータ１０２によって生成されるＦＭＣＷ  ＲＦ信号であることがある。ＲＦ信号９０２のｘ軸は、時間に対応することがあり、このＲＦ信号のｙ軸は、パワーに対応することがある。ＲＦ信号９０２は、例えば標的検出の適用分野、デバイス制御の適用分野、自動車レーダの適用分野、速度推定の適用分野など、特定の技術的適用分野に利用することができる。ＲＦ信号９０４は、パワー・モジュレータ１０２によって生成されるＰＲＢＳ  ＲＦ信号であることがある。ＲＦ信号９０４のｘ軸は、時間に対応することがあり、このＲＦ信号のｙ軸は、パワーに対応することがある。ＲＦ信号９０６は、パワー・モジュレータ１０２によって生成される混合波形ＲＦ信号であることがある。ＲＦ信号９０６のｘ軸は、時間に対応することがあり、このＲＦ信号のｙ軸は、パワーに対応することがある。１実施形態では、ＲＦ信号９０６は、パルス波形およびＰＲＢＳ波形を含むことがある。別の実施形態では、ＲＦ信号９０６は、ＦＭＣＷ波形およびＰＲＢＳ波形を含むこともある。１実施形態では、ＲＦ信号９０６は、パルス波形およびＦＭＣＷ波形を含むこともある。
【００４７】
パワー・モジュレータ１０２、または信号発生器１０４、あるいはその両方は、人間が実行することができない（例えば１人の人間の頭脳の能力を超える）レーダ周波数信号の再構成可能な送信に関連する１つまたは複数のプロセスを実行することを理解されたい。例えば、パワー・モジュレータ１０２、または信号発生器１０４、あるいはその両方の、特定の期間におけるデータ処理量、データ処理速度、または処理するデータのデータ・タイプ、あるいはそれらの組合せは、同じ期間に１人の人間の頭脳が処理することができる量より大きく、同じ期間に１人の人間の頭脳が処理することができる速度より速く、同じ期間に１人の人間の頭脳が処理することができるデータ・タイプとは異なることがある。パワー・モジュレータ１０２、または信号発生器１０４、あるいはその両方は、レーダ周波数信号の再構成可能な送信に関連する上述した１つまたは複数のプロセスを実行している間も、１つまたは複数の他の機能を実行するために完全に動作状態である（例えば完全に電源オン状態である、完全に実行状態であるなど）こともある。さらに、パワー・モジュレータ１０２によって生成されるＲＦ信号、またはＲＦ信号の波形、あるいはその両方は、ユーザが手作業では入手することができない情報を含むこともある。例えば、ＲＦ信号に含まれる情報のタイプ、ＲＦ信号に含まれる情報の量、またはＲＦ信号に含まれる情報の多様性、あるいはそれらの組合せは、ユーザが手作業で得る情報より複雑であることがある。さらに、信号発生器１０４によって生成される無線波形信号、または無線波形信号の波形、あるいはその両方も、ユーザが手作業では入手することができない情報を含むことがある。例えば、無線波形信号に含まれる情報のタイプ、無線波形信号に含まれる情報の量、または無線波形信号に含まれる情報の多様性、あるいはそれらの組合せは、ユーザが手作業で得る情報より複雑であることがある。
【００４８】
図１０は、本明細書に記載する１つまたは複数の実施形態によるレーダ周波数信号の再構成可能な送信を容易にする例示的な非限定的な方法１０００を示す流れ図である。１００２で、レーダ送信機（例えばパワー・スプリッタ２０４）が、信号源を第１の局部発振器信号と第２の局部発振器信号に分割する。信号源は、例えば局部発振器信号であることがある。
【００４９】
１００４で、レーダ送信機（例えば第１のパワー・ミキサ２０６）が、レーダ波形信号のセットのうちの第１のレーダ波形信号を信号源に関連する第１の局部発振器信号と混合することによって、第１の混合信号を生成する。第１の混合信号は、例えば、第１の無線周波数出力信号であることがある。１実施形態では、第１のレーダ波形信号は、レーダ波形信号のセットから受信することができる。第１のレーダ波形信号は、例えば、第１のベースバンド信号であることがある。さらに、第１のレーダ波形信号は、周波数変調連続波レーダ信号、疑似ランダム・バイナリ・シーケンス信号、またはパルス信号であることがある。
【００５０】
１００６で、レーダ送信機（例えば第２のパワー・ミキサ２０８）が、第１のレーダ波形信号の逆位相信号として構成される第２のレーダ波形信号を信号源に関連する第２の局部発振器信号と混合することによって、第２の混合信号を生成する。第２の混合信号は、例えば、第２の無線周波数出力信号であることがある。１実施形態では、第２のレーダ波形信号は、レーダ波形信号のセットから受信することができる。第２のレーダ波形信号は、例えば、第２のベースバンド信号であることがある。さらに、第２のレーダ波形信号は、周波数変調連続波レーダ信号、疑似ランダム・バイナリ・シーケンス信号、またはパルス信号であることがある。
【００５１】
１００８で、レーダ送信機（例えばパワー・コンバイナ２１０）が、第１の混合信号と第２の混合信号とを結合することによって、無線周波数信号を生成する。無線周波数信号は、例えば、再構成可能な無線周波数信号であることがある。例えば、無線周波数信号は、第１のレーダ波形信号および第２のレーダ波形信号に関連する波形（１つまたは複数）のタイプ（１つまたは複数）に基づいて、周波数変調連続波無線周波数信号、疑似ランダム・バイナリ・シーケンス無線周波数信号、またはパルス無線周波数信号、あるいはそれらの組合せであることがある。
【００５２】
説明を簡潔にするために、方法を、一連のアクションとして描写し、説明している。主題となる技術革新は、例示したアクション、またはアクションの順序、あるいはその両方によって限定されず、例えば、アクションは様々な順序で、または同時に起こることもあり、また本明細書に提示および説明していない他のアクションとともに起こることもあることを、理解および認識されたい。さらに、開示する主題による方法を実施するために、例示した全てのアクションが必要になるとは限らない。さらに、当業者なら、別法として、これらの方法を、状態図によって一連の相関のある状態として表現する、または事象として表現することもできることを理解および認識するであろう。さらに、特定の実施形態では、以下で、また本明細書全体を通じて開示する方法は、これらのコンピュータ実施方法のコンピュータへの移送および転送を容易にする製品に記憶することができることも理解されたい。本明細書で使用する「製品」という用語は、任意のコンピュータ可読デバイスまたはストレージ媒体からアクセス可能なコンピュータ・プログラムを含むものと意図されている。
【００５３】
さらに、少なくとも混合信号の生成、混合信号の結合、または無線周波数信号の生成、あるいはそれらの組合せは、電気的構成要素および回路ならびに機械的構成要素および回路の組合せによって確立されるので、人間は、本明細書に開示するパワー・モジュレータ１０２（例えば増幅器２０２、パワー・スプリッタ２０４、第１のパワー・ミキサ２０６、第２のパワー・ミキサ２０８、またはパワー・コンバイナ２１０、あるいはそれらの組合せ）によって実行される処理を再現または実行することはできない。例えば、人間は、混合信号を生成する、混合信号を結合する、または無線周波数信号を生成する、あるいはそれらの組合せを行うことができない。さらに、少なくともレーダ波形信号の生成は電気的構成要素および回路ならびに機械的構成要素および回路の組合せによって確立されるので、人間は、本明細書に開示する信号発生器１０４（例えばＦＭＣＷ構成要素３０２、コード構成要素３０４、またはパルス構成要素３０６、あるいはそれらの組合せ）によって実行される処理を再現または実行することはできない。例えば、人間は、パワー・モジュレータ１０２が利用するレーダ波形信号を生成することはできない。
【００５４】
開示する主題の様々な態様の状況を明らかにするために、図１１、および以下の記述は、開示する主題の様々な態様を実施することができる適当な環境の概略的説明を与えることを意図したものである。図１１は、本明細書に記載する１つまたは複数の実施形態を容易にすることができる例示的な非限定的な動作環境を示すブロック図である。簡潔にするために、本明細書に記載する他の実施形態でも用いられている同じ要素については、繰り返し説明することはしない。
【００５５】
図１１を参照すると、本開示の様々な態様を実施するのに適した動作環境１１００は、コンピュータ１１１２を含むこともある。コンピュータ１１１２は、処理ユニット１１１４、システム・メモリ１１１６、およびシステム・バス１１１８を含むこともある。システム・バス１１１８は、限定されるわけではないが、システム・メモリ１１１６および処理ユニット１１１４を含むシステム構成要素を結合する。処理ユニット１１１４は、様々な利用可能なプロセッサのうちのいずれであってもよい。処理ユニット１１１４として、デュアル・マイクロプロセッサおよびその他のマルチプロセッサ・アーキテクチャを利用することもできる。システム・バス１１１８は、メモリ・バスもしくはメモリ制御装置、周辺バスもしくは外部バス、または限定されるわけではないが、工業規格アーキテクチャ（ＩＳＡ）、マイクロチャネル・アーキテクチャ（ＭＳＡ）、拡張ＩＳＡ（ＥＩＳＡ）、インテリジェント・ドライブ・エレクトロニクス（ＩＤＥ）、ＶＥＳＡローカル・バス（ＶＬＢ）、周辺機器相互接続（ＰＣＩ）、カード・バス、ユニバーサル・シリアル・バス（ＵＳＢ）、アドバンスト・グラフィックス・ポート（ＡＧＰ）、ファイヤワイヤ（ＩＥＥＥ１３９４）、およびスモール・コンピュータ・システム・インタフェース（ＳＣＳＩ）など任意の様々な利用可能なバス・アーキテクチャを使用するローカル・バス、あるいはそれらの組合せなど、いくつかのタイプのバス構造のうちのいずれであってもよい。
【００５６】
システム・メモリ１１１６は、揮発性メモリ１１２０、および不揮発性メモリ１１２２を含むこともある。始動中などにコンピュータ１１１２内の要素間で情報を転送するための基本ルーチンを含む基本入出力システム（ＢＩＯＳ）は、不揮発性メモリ１１２２に記憶される。コンピュータ１１１２は、取外し可能／取外し不可能な、揮発性／不揮発性の、コンピュータ・ストレージ媒体を含むこともある。図１１には、例えば、ディスク・ストレージ１１２４が示してある。ディスク・ストレージ１１２４は、限定されるわけではないが、磁気ディスク・ドライブ、フロッピー・ディスク・ドライブ、テープ・ドライブ、Ｊａｚドライブ、Ｚｉｐドライブ、ＬＳ−１００ドライブ、フラッシュ・メモリ・カード、またはメモリ・スティックなどのデバイスを含む可能性もある。ディスク・ストレージ１１２４は、他のストレージ媒体とは別個に、または他のストレージ媒体と組み合わせて、ストレージ媒体を含むこともある。ディスク・ストレージ１１２４のシステム・バス１１１８への接続を容易にするために、インタフェース１１２６などの取外し可能または取外し不可能なインタフェースが、通常は使用される。図１１には、ユーザと、適当な動作な環境１１００内に示す基本コンピュータ資源との媒介として作用するソフトウェアも示してある。このようなソフトウェアは、例えば、オペレーティング・システム１１２８を含むこともある。オペレーティング・システム１１２８は、ディスク・ストレージ１１２４に記憶することができ、コンピュータ１１１２の資源の制御および割当てを行うように作用する。
【００５７】
システム・アプリケーション１１３０は、例えばシステム・メモリ１１１６またはディスク・ストレージ１１２４に記憶されるプログラム・モジュール１１３２およびプログラム・データ１１３４を介して、オペレーティング・システム１１２８による資源の管理を利用する本開示は、様々なオペレーティング・システムまたはオペレーティング・システムの組合せで実施することができることを理解されたい。ユーザは、入力デバイス（１つまたは複数）１１３６を通してコンピュータ１１１２にコマンドまたは情報を入力する。入力デバイス１１３６は、限定されるわけではないが、マウスなどのポインティング・デバイス、トラックボール、スタイラス、タッチ・パッド、キーボード、マイクロフォン、ジョイスティック、ゲーム・パッド、パラボナアンテナ、スキャナ、ＴＶチューナ・カード、デジタル・カメラ、デジタル・ビデオ・カメラ、およびウェブ・カメラなどを含む。上記その他の入力デバイスは、インタフェース・ポート（１つまたは複数）１１３８を介してシステム・バス１１１８を通して処理ユニット１１１４に接続する。インタフェース・ポート（１つまたは複数）１１３８は、例えば、シリアル・ポート、パラレル・ポート、ゲーム・ポート、およびユニバーサル・シリアル・バス（ＵＳＢ）を含む。出力デバイス（１つまたは複数）１１４０は、ポートを入力デバイス（１つまたは複数）１１３６と同じタイプのポートをいくつか使用する。したがって、例えば、ＵＳＢポートを使用して、コンピュータ１１１２への入力を提供し、コンピュータ１１１２から出力デバイス１１４０に情報を出力することができる。出力アダプタ１１４２は、特殊なアダプタを必要とする出力デバイス１１４０の中でも特に、モニタ、スピーカ、およびプリンタなど、いくつかの出力デバイス１１４０があることを例示するために設けられている。出力アダプタ１１４２は、限定ではなく例示を目的として、出力デバイス１１４０とシステム・バス１１１８の間の接続手段を提供するビデオ・カードおよびサウンド・カードを含む。なお、他のデバイス、またはデバイスのシステム、あるいはそれらの組合せは、遠隔コンピュータ（１つまたは複数）１１４４など、入力および出力の両方の能力を提供することに留意されたい。
【００５８】
コンピュータ１１１２は、遠隔コンピュータ（１つまたは複数）１１４４など１つまたは複数の遠隔コンピュータへの論理接続を用いたネットワーク環境内で動作することができる。遠隔コンピュータ（１つまたは複数）１１４４は、コンピュータ、サーバ、ルータ、ネットワークＰＣ、ワークステーション、マイクロプロセッサを用いるアプライアンス、およびピア・デバイスまたはその他の一般的なネットワーク・ノードなどであることがあり、通常は、コンピュータ１１１２に関連して説明した要素のうちの多数または全てを含むことができる。簡潔にするために、メモリ・ストレージ・デバイス１１４６のみを、遠隔コンピュータ（１つまたは複数）１１４４とともに示してある。遠隔コンピュータ（１つまたは複数）１１４４は、ネットワーク・インタフェース１１４８を介してコンピュータ１１１２に論理的に接続され、次いで、通信接続１１５０を介して物理的に接続される。ネットワーク・インタフェース１１４８は、ローカル・エリア・ネットワーク（ＬＡＮ）、広域ネットワーク（ＷＡＮ）、セルラ・ネットワークなど、有線通信ネットワーク、またはワイヤレス通信ネットワーク、あるいはその両方を含む。ＬＡＮ技術は、ファイバ分散型データ・インタフェース（ＦＤＤＩ：fiber distributed data interface）、銅線分散型データ・インタフェース（ＣＤＤＩ：copper distributed data interface）、イーサネット、およびトークンリングなどを含む。ＷＡＮ技術は、限定されるわけではないが、ポイント・ツー・ポイント・リンク、統合サービス・デジタル網（ＩＳＤＮ）およびそのバリエーションなどの回路交換網、パケット交換網、ならびにデジタル加入者回線（ＤＳＬ）を含む。通信接続（１つまたは複数）１１５０は、ネットワーク・インタフェース１１４８をシステム・バス１１１８に接続するために利用されるハードウェア／ソフトウェアを指す。通信接続１１５０は、例示を明瞭にするためにコンピュータ１１１２内に示してあるが、コンピュータ１１１２の外部にあってもよい。ネットワーク・インタフェース１１４８への接続のためのハードウェア／ソフトウェアは、例示のみを目的として、通常の電話用モデム、ケーブル・モデム、およびＤＳＬモデムなどのモデム、ＩＳＤＮアダプタ、ならびにイーサネット・カードなど、内部および外部技術を含むこともある。
【００５９】
本発明は、任意の可能な技術的詳細統合レベルでシステム、方法、装置、またはコンピュータ・プログラム製品、あるいはそれらの組合せであり得る。コンピュータ・プログラム製品は、プロセッサに本発明の態様を実行させるコンピュータ可読プログラム命令を有するコンピュータ可読ストレージ媒体（１つまたは複数）を含む可能性がある。コンピュータ可読ストレージ媒体は、命令実行デバイスによって使用される命令を保持および記憶することができる有形デバイスであることがある。コンピュータ可読ストレージ媒体は、限定されるわけではないが、例えば、電子ストレージ・デバイス、磁気ストレージ・デバイス、光学ストレージ・デバイス、電磁ストレージ・デバイス、半導体ストレージ・デバイス、またはそれらの任意の適当な組合せである可能性がある。コンピュータ可読ストレージ媒体のより詳細な例を全てではないが挙げると、ポータブル・コンピュータ・ディスケット、ハード・ディスク、ランダム・アクセス・メモリ（ＲＡＭ）、読取り専用メモリ（ＲＯＭ）、消去可能プログラマブル読取り専用メモリ（ＥＰＲＯＭまたはフラッシュ・メモリ）、静的ランダム・アクセス・メモリ（ＳＲＡＭ）、携帯可能なコンパクト・ディスク読取り専用メモリ（ＣＤ−ＲＯＭ）、デジタル汎用ディスク（ＤＶＤ）、メモリ・スティック、フロッピー・ディスク、パンチ・カードまたは命令が記録された溝内の隆起構造などの機械的符号化デバイス、およびそれらの任意の適当な組合せを含む可能性もある。本明細書で使用する「コンピュータ可読ストレージ媒体」は、それ自体が、電波またはその他の自由伝搬電磁波、導波路またはその他の伝送媒体内を伝搬する電磁波（例えば光ファイバ・ケーブルを通る光パルスなど）、あるいはワイヤ内を伝送される電気信号などの一過性の信号であるものとして解釈すべきではない。
【００６０】
本明細書に記載するコンピュータ可読プログラム命令は、コンピュータ可読ストレージ媒体からそれぞれのコンピューティング／処理デバイスにダウンロードする、あるいは例えばインターネット、ローカル・エリア・ネットワーク、広域ネットワーク、もしくはワイヤレス・ネットワーク、またはそれらの組合せなどのネットワークを介して、外部コンピュータまたは外部ストレージ・デバイスにダウンロードすることができる。ネットワークは、銅製伝送ケーブル、光伝送ファイバ、ワイヤレス伝送、ルータ、ファイヤウォール、スイッチ、ゲートウェイ・コンピュータ、またはエッジ・サーバ、あるいはそれらの組合せを含むことがある。各コンピューティング／処理デバイスのネットワーク・アダプタ・カードまたはネットワーク・インタフェースは、ネットワークからコンピュータ可読プログラム命令を受信し、それらのコンピュータ可読プログラム命令をそれぞれのコンピューティング／処理デバイス内のコンピュータ可読ストレージ媒体に記憶するために転送する。本発明の動作を実行するためのコンピュータ可読プログラム命令は、アセンブラ命令、命令セット・アーキテクチャ（ＩＳＡ）命令、機械命令、機械依存命令、マイクロコード、ファームウェア命令、状態設定命令、集積回路用の設定データ、あるいはＳｍａｌｌｔａｌｋ（Ｒ）もしくはＣ＋＋などのオブジェクト指向プログラミング言語、または「Ｃ」プログラミング言語もしくはそれに類するプログラミング眼後などの手続き型プログラミング言語などの１つまたは複数のプログラミング言語の任意の組合せで書かれたソース・コードまたはオブジェクト・コードである可能性がある。コンピュータ可読プログラム命令は、完全にユーザのコンピュータ上で実行されることもあるし、部分的にユーザコンピュータ上で実行されることもあるし、独立型ソフトウェア・パッケージとして実行されることもあるし、一部はユーザコンピュータ上で実行され、一部は遠隔コンピュータ上で実行されることもあるし、あるいは完全に遠隔コンピュータまたはサーバ上で実行されることもある。最後のシナリオでは、遠隔コンピュータは、ローカル・エリア・ネットワーク（ＬＡＮ）または広域ネットワーク（ＷＡＮ）など任意のタイプのネットワークを介してユーザのコンピュータに接続することもできるし、あるいは外部のコンピュータに（例えばインターネット・サービス・プロバイダを用いてインターネットを介して）接続を行うこともできる。いくつかの実施形態では、例えばプログラマブル論理回路、フィールド・プログラマブル・ゲート・アレイ（ＦＰＧＡ）、またはプログラマブル論理アレイ（ＰＬＡ）などの電子回路が、コンピュータ可読プログラム命令の状態情報を利用することによってコンピュータ可読プログラム命令を実行してその電子回路をパーソナライズして、本発明の態様を実行することができる。
【００６１】
本発明の実施形態による方法、装置（システム）、およびコンピュータ・プログラム製品を示す流れ図、またはブロック図、あるいはその両方を参照して、本発明の態様について本明細書で説明している。特定の実施形態では、流れ図、またはブロック図、あるいはその両方の各ブロック、および流れ図、またはブロック図、あるいはその両方のブロックの組合せは、コンピュータ可読プログラム命令によって実施することができることは理解されるであろう。これらのコンピュータ可読プログラム命令は、コンピュータまたはその他のプログラマブル・データ処理装置のプロセッサによって実行される命令が、流れ図、またはブロック図、あるいはその両方の１つまたは複数のブロックに指定される機能／アクションを実施する手段を生成するように、汎用コンピュータ、特殊目的コンピュータ、またはその他のプログラマブル・データ処理装置のプロセッサに与えられて、マシンを作り出すことができる。また、これらのコンピュータ可読プログラム命令は、命令を記憶したコンピュータ可読ストレージ媒体が、流れ図、またはブロック図、あるいはその両方の１つまたは複数のブロックに指定される機能／アクションの態様を実施する命令を含む製品を含むように、コンピュータ可読ストレージ媒体に記憶され、コンピュータ、プログラマブル・データ処理装置、またはその他のデバイス、あるいはそれらの組合せに特定の様式で機能するように指示することができる。また、コンピュータ可読プログラム命令は、コンピュータ、その他のプログラマブル装置、またはその他のデバイス上で実行される命令が、流れ図、またはブロック図、あるいはその両方の１つまたは複数のブロックに指定される機能／アクションを実施するように、コンピュータ実施プロセスを生成すべく、コンピュータ、その他のプログラマブル・データ処理装置、またはその他のデバイスにロードされて、コンピュータ、その他のプログラマブル・データ処理装置、またはその他のデバイス上で一連の動作アクションを実行させることができる。
【００６２】
図面の流れ図およびブロック図は、本発明の様々な実施形態によるシステム、方法、およびコンピュータ・プログラム製品の可能な実施態様のアーキテクチャ、機能、および動作を例示している。これに関連して、流れ図またはブロック図の各ブロックは、指定された論理機能（１つまたは複数）を実施するための１つまたは複数の実行可能命令を含むモジュール、セグメント、または命令の一部分を表す可能性がある。いくつかの代替の実施態様では、ブロックに記載される機能は、図面に記載される以外の順序で発生することもある。例えば、連続して示されている２つのブロックが、実際には実質的に同時に実行されることもあり、あるいはそれらのブロックが、関連する機能によっては逆の順序で実行されることもある。また、ブロック図、または流れ図、あるいはその両方の各ブロック、およびブロック図、または流れ図、あるいはその両方のブロックの組合せが、指定された機能またはアクションを実行する、あるいは特殊目的ハードウェアとコンピュータ命令の組合せを実行する、特殊目的ハードウェア型システムによって実施されることもあることにも留意されたい。
【００６３】
１つのコンピュータまたは複数のコンピュータ上で実行されるコンピュータ・プログラム製品のコンピュータ実行可能命令という一般的文脈で主題について上記で説明したが、当業者なら、本開示が、他のプログラム・モジュールと組み合わせて実施することもできることを認識するであろう。一般に、プログラム・モジュールは、特定のタスクを実行する、または特定の抽象データ・タイプを実施する、あるいはその両方を行うルーチン、プログラム、構成要素、データ構造などを含む。さらに、当業者なら、本発明のコンピュータ実施方法は、シングル・プロセッサまたはマルチプロセッサ・コンピュータ・システム、ミニ・コンピューティング・デバイス、メインフレーム・コンピュータ、ならびにコンピュータ、手持ち型コンピューティング・デバイス（例えばＰＤＡ、電話など）、およびマイクロプロセッサ型の、またはプログラマブルな消費者用電子機器または産業用電子機器など、他のコンピュータ・システム構成で実施することもできることを理解するであろう。例示した態様は、通信ネットワークを介してリンクされた遠隔処理デバイスによってタスクが実行される、分散型コンピューティング環境で実施することもできる。ただし、本開示の全ての態様ではなくとも一部の態様は、独立型コンピュータ上で実施されることもある。分散型コンピューティング環境では、プログラム・モジュールは、ローカル・メモリ・ストレージ・デバイスおよび遠隔メモリ・ストレージ・デバイスの両方に位置することがある。
【００６４】
本願で使用する「構成要素」、「システム」、「プラットフォーム」、および「インタフェース」などの用語は、コンピュータ関係エンティティ、あるいは１つまたは複数の特有の機能を有する動作機械に関係するエンティティを指す、または含む、あるいはその両方である可能性がある。本明細書に開示するエンティティは、ハードウェア、ハードウェアとソフトウェアの組合せ、ソフトウェア、または実行中のソフトウェアのいずれかである可能性がある。例えば、構成要素は、限定されるわけではないが、プロセッサ上で実行されるプロセス、プロセッサ、オブジェクト、実行可能ファイル、実行スレッド、プログラム、またはコンピュータ、あるいはそれらの組合せである可能性がある。例示を目的として、サーバ上で実行されるアプリケーション、およびサーバは、両方とも構成要素である可能性がある。１つまたは複数の構成要素が、１つのプロセス、または実行スレッド、あるいはその両方の内部に存在することもあり、構成要素は、１つのコンピュータ上に位置する、または２つ以上のコンピュータの間に分散している可能性がある。別の例では、それぞれの構成要素は、様々なデータ構造を記憶した様々なコンピュータ可読媒体から実行することができる。構成要素は、１つまたは複数のデータ・パケット（例えばローカル・システム内の別の構成要素、分散型システム内の別の構成要素、またはインターネットなど信号を介した他のシステムとのネットワーク上の別の構成要素と対話するある構成要素からのデータ）を有する信号に従って通信するなど、ローカルプロセス、または遠隔プロセス、あるいはその両方を介して通信することができる。別の例として、構成要素は、プロセッサによって実行されるソフトウェアまたはファームウェア・アプリケーションによって操作される電気回路または電子回路によって操作される機械的部分によって提供される特有の機能を有する装置であることもある。このような場合、プロセッサは、装置の内部にあっても外部にあってもよく、ソフトウェアまたはファームウェア・アプリケーションの少なくとも一部を実行することができる。さらに別の例として、構成要素は、機械的部分のない電子構成要素を通して特有の機能を提供する装置であることもあり、この場合、電子構成要素は、それらの電子構成要素の機能を少なくとも部分的に与えるソフトウェアまたはファームウェアを実行するプロセッサまたはその他の手段を含むことがある。１態様では、構成要素は、例えばクラウド・コンピューティング・システム内の仮想機械を介して電子構成要素をエミュレートすることもある。
【００６５】
さらに、「または」という用語は、排他的な「または」ではなく、包含的な「または」を意味するように意図されている。すなわち、特に指定がない限り、または文脈から明白でない限り、「ＸはＡまたはＢを利用する」は、任意の自然な包含的順列を意味するように意図されている。すなわち、ＸがＡを利用する、ＸがＢを利用する、またはＸがＡおよびＢの両方を利用する場合には、「ＸはＡまたはＢを利用する」は、これらの場合のいずれにおいても満足される。さらに、本明細書および添付の図面で使用する冠詞「ある（ａ）」および「１つの（ａｎ）」は、特に指定がない限り、または文脈から単数形を対象としていることが明白でない限り、一般に「１つまたは複数」を意味するものと解釈されるものとする。本明細書で使用する「例」という用語、または「例示的な」という用語、あるいはその両方は、例、場合、または例示となることを意味する。疑義を避けるために明記すると、本明細書に開示する主題は、これらの例によって限定されない。さらに、「例」、または「例示的な」、あるいはその両方として本明細書に記載される任意の態様または設計は、必ずしも他の態様または設計よりも好ましい、または有利であると解釈されるわけではなく、また、当業者には既知の等価な例示的な構造および技術を排除するものでもない。
【００６６】
本明細書で用いられる「プロセッサ」という用語は、限定されるわけではないが、シングル・コア・プロセッサ、ソフトウェア・マルチスレッド実行機能を有するシングル・コア・プロセッサ、マルチ・コア・プロセッサ、ソフトウェア・マルチスレッド実行機能を有するマルチ・コア・プロセッサ、ハードウェア・マルチスレッド技術を有するマルチ・コア・プロセッサ、並列プラットフォーム、および分散型共用メモリを有する並列プラットフォームを含む、実質的にいかなるコンピューティング処理ユニットまたはデバイスでも指すことができる。さらに、プロセッサは、集積回路、特定用途向け集積回路（ＡＳＩＣ）、デジタル信号プロセッサ（ＤＳＰ）、フィールド・プログラマブル・ゲート・アレイ（ＦＰＧＡ）、プログラマブル論理制御装置（ＰＬＣ）、複合プログラマブル論理デバイス（ＣＰＬＤ）、離散ゲートまたはトランジスタ論理、離散ハードウェア構成要素、または本明細書に記載する機能を実行するように設計されたそれらの任意の組合せを指す可能性がある。さらに、プロセッサは、限定されるわけではないが、ユーザ機器の空間利用率を最適化する、または性能を向上させるために、分子および量子ドット型トランジスタ、スイッチ、ならびにゲートなどのナノスケール・アーキテクチャを利用することもできる。プロセッサは、また、コンピューティング処理ユニットの組合せとして実施することもできる。本開示では、「記憶装置」、「ストレージ」、「データ記憶装置」、「データ・ストレージ」、「データベース」などの用語、また構成要素の動作および機能に関連する実質的に任意のその他の情報記憶構成要素は、「メモリ構成要素」、「メモリ」内に実施されるエンティティ、またはメモリを含む構成要素を指すものとして用いられている。本明細書に記載するメモリ、またはメモリ構成要素、あるいはその両方は、揮発性メモリまたは不揮発性メモリのいずれかである可能性がある、あるいは揮発性メモリおよび不揮発性メモリの両方を含む可能性があることを理解されたい。限定ではなく例示を目的として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＲＯＭ（ＥＥＰＲＯＭ）、フラッシュ・メモリ、または不揮発性ランダム・アクセス・メモリ（ＲＡＭ）（例えば強誘電体ＲＡＭ（ＦｅＲＡＭ）を含む可能性がある。揮発性メモリは、例えば外付けキャッシュ・メモリとして作用することができるＲＡＭを含むことがある。限定ではなく例示を目的として、ＲＡＭは、同期ＲＡＭ（ＳＲＡＭ）、動的ＲＡＭ（ＤＲＡＭ）、同期ＤＲＡＭ（ＳＤＲＡＭ）、ダブル・データ・レートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、ダイレクト・ラムバスＲＡＭ（ＤＲＲＡＭ）、ダイレクト・ラムバス・ダイナミックＲＡＭ（ＤＲＤＲＡＭ）、およびラムバス・ダイナミックＲＡＭ（ＲＤＲＡＭ）など、多数の形態で入手可能である。さらに、本明細書のシステムまたはコンピュータ実施方法の開示したメモリ構成要素は、含むものと限定されるわけではないが、上記およびその他の任意の適当なタイプのメモリを���むものと意図されている。
【００６７】
上記の内容は、システムおよびコンピュータ実施方法の単なる例を含む。もちろん、本開示を説明するために構成要素またはコンピュータ実施方法の想定できる全ての組合せを説明することは不可能であるが、当業者なら、本開示のその他の多数の組合せおよび置換が可能であることを理解することができる。さらに、上記の詳細な説明、特許請求の範囲、添付物、および図面において「含む」、「有する」、および「所有する」などの用語が使用される限りにおいて、これらの用語は、「備える」という用語が請求項の移行部として利用されるときの解釈と同様に包含的であるものと意図されている。
【００６８】
例示を目的として、様々な実施形態の説明を与えたが、この説明は、全てを網羅することを意図したものではなく、開示した実施形態に限定されるわけではない。記載した実施形態の範囲および思想を逸脱することなく、多数の変更および変形が、当業者には明らかになるであろう。本明細書で使用される用語は、実施形態の原理、実際の適用分野、または市場で見られる技術を超える技術的改良を最もよく説明するために、あるいは本明細書に開示する実施形態を他の当業者が理解することを可能にするために選択したものである。
【図１】
2020529594.tif 000003
【図２】
2020529594.tif 000004
【図３】
2020529594.tif 000005
【図４】
2020529594.tif 000006
【図５】
2020529594.tif 000007
【図６】
2020529594.tif 000008
【図７】
2020529594.tif 000009
【図８】
2020529594.tif 000010
【図９】
2020529594.tif 000011
【図１０】
2020529594.tif 000012
【図１１】
2020529594.tif 000013
【国際調査報告】
2020529594.tif 000014
2020529594.tif 000015
2020529594.tif 000016